(57)【特許請求の範囲】
【請求項１】
タッチスクリーンディスプレイと、
１つ以上のプロセッサと、
メモリと、
１つ以上のプログラムと、
を備え、前記１つ以上のプログラムは、前記メモリに記憶され、前記１つ以上のプロセッ
サにより実行されるように構成され、更に、前記１つ以上のプログラムは、
前記タッチスクリーンディスプレイ上に構造化電子ドキュメントの少なくとも一部分
を表示するためのインストラクションであって、その構造化電子ドキュメントが複数のコ
ンテンツボックスを含むようなインストラクションと、
前記構造化電子ドキュメントの表示部分上の位置で第１ジェスチャーを検出するため
のインストラクションと、
前記第１ジェスチャーの位置で前記複数のボックスのうちの第１ボックスを決定する
ためのインストラクションと、
前記第１ボックスが、前記タッチスクリーンディスプレイ上の実質上センタになるよ
うに、前記構造化電子ドキュメントを拡大して並進移動するためのインストラクションと、
前記第１ボックスが拡大されている間に、前記第１ボックス以外の第２ボックスにおいて第２のジェスチャーを検出するインストラクションと、
前記第２のジェスチャーを検出するのに応答して、前記第２ボックスが前記タッチスクリーンディスプレイ上の実質上センタになるように、前記構造化電子ドキュメントを並進移動するインストラクションと、
を含むものである、ポータブル電子装置。
【請求項２】
前記タッチスクリーンディスプレイ上の前記複数のコンテンツボックスの前記第２ボックスの少なくとも一部分を表示するように、前記構造化電子ドキュメントが拡大されて並進移動される、請求項１に記載のポータブル電子装置。
【請求項３】
前記複数のボックスは、スタイルシート言語によって定義される、請求項１に記載のポ
ータブル電子装置。
【請求項４】
前記構造化電子ドキュメントは、複数のノードをもつ関連レンダリングツリーを有し、
第１ジェスチャーの位置で第１ボックスを決定する前記インストラクションは、
前記レンダリングツリーをダウン方向に進んで、前記第１ジェスチャーの検出位置に対
応する前記複数のノード内の第１ノードを決定するインストラクションと、
前記第１ノードからコンテンツの論理的グループを含む最至近の親ノードまで前記レン
ダリングツリーをアップ方向に進むインストラクションと、
前記最至近の親ノードに対応するコンテンツを前記第１ボックスとして識別するインス
トラクションと、
を含む請求項１に記載のポータブル電子装置。
【請求項５】
前記拡大された第１ボックス上で第３ジェスチャーを検出するインストラクションと、
前記第３ジェスチャーを検出するのに応答して、前記構造化電子ドキュメントの表示部分のサイズを減少するインストラクションと、を含む請求項１に記載のポータブル電子装置。
【請求項６】
前記第２ジェスチャーは、タップジェスチャーである、請求項１に記載のポータブル電子装置。
【請求項７】
前記ポータブル電子装置の向きの変化を検出するインストラクションと、
前記ポータブル電子装置の向きの変化を検出するのに応答して、前記タッチスクリーン
ディスプレイ上で前記構造化電子ドキュメントの表示部分を９０°回転するインストラク
ションと、を含む請求項１に記載のポータブル電子装置。
【請求項８】
１つ以上のプログラムが記録されたコンピュータ読み取り可能な記録媒体であって、前
記１つ以上のプログラムはインストラクションを有し、前記インストラクションが、タッ
チスクリーンディスプレイを有するポータブル電子装置によって実行されたときに、前記
ポータブル電子装置が、
前記タッチスクリーンディスプレイ上に構造化電子ドキュメントの少なくとも一部分を
表示するステップであって、前記構造化電子ドキュメントは複数のコンテンツボックスを
含むものであるステップと、
前記構造化電子ドキュメントの前記表示された部分上の位置で第１ジェスチャーを検出
するステップと、
前記第１ジェスチャーの位置で前記複数のボックスのうちの第１ボックスを決定するス
テップと、
前記第１ボックスが、前記タッチスクリーンディスプレイ上の実質上センタになるよう
に、前記構造化電子ドキュメントを拡大して並進移動するステップと、
前記第１ボックスが拡大されている間に、前記第１ボックス以外の第２ボックスにおい
て第２のジェスチャーを検出するステップと、
前記第２のジェスチャーを検出するのに応答して、前記第２ボックスが前記タッチスクリーンディスプレイ上の実質上センタになるように、前記構造化電子ドキュメントを並進移動するステップと、
を実行するような記録媒体。
【請求項９】
前記タッチスクリーンディスプレイ上の前記複数のコンテンツボックスの前記第２ボックスの少なくとも一部分を表示するように、前記構造化電子ドキュメントが拡大されて並進移動される、請求項８に記載の記録媒体。
【請求項１０】
前記複数のボックスは、スタイルシート言語によって定義される、請求項８に記載の記
録媒体。
【請求項１１】
前記構造化電子ドキュメントは、複数のノードをもつ関連レンダリングツリーを有し、
第１ジェスチャーの位置で第１ボックスを決定する前記ステップは、
前記レンダリングツリーをダウン方向に進んで、前記第１ジェスチャーの検出位置に対
応する前記複数のノード内の第１ノードを決定する段階と、
前記第１ノードからコンテンツの論理的グループを含む最至近の親ノードまで前記レン
ダリングツリーをアップ方向に進む段階と、
前記最至近の親ノードに対応するコンテンツを前記第１ボックスとして識別する段階と
、を含む、請求項８に記載の記録媒体。
【請求項１２】
前記拡大された第１ボックス上で第３ジェスチャーを検出するステップと、
前記第３ジェスチャーを検出するのに応答して、前記構造化電子ドキュメントの表示部分のサイズを減少するステップと、
を前記ポータブル電子装置が実行するようなインストラクションを含む、請求項８に記載の記録媒体。
【請求項１３】
前記第２ジェスチャーは、タップジェスチャーである、請求項８に記載の記録媒体。
【請求項１４】
前記ポータブル電子装置の向きの変化を検出するステップと、
前記ポータブル電子装置の向きの変化を検出するのに応答して、前記タッチスクリーン
ディスプレイ上で前記構造化電子ドキュメントの表示部分を９０°回転するステップと、
を前記ポータブル電子装置が実行するようなインストラクションを含む、請求項８に記載
の記録媒体。
【請求項１５】
タッチスクリーンディスプレイを伴うポータブル電子装置で実施される方法であって、
前記タッチスクリーンディスプレイ上に構造化電子ドキュメントの少なくとも一部分を
表示するステップであって、その構造化電子ドキュメントが複数のコンテンツボックスを
含むようなステップと、
前記構造化電子ドキュメントの表示部分上の位置で第１ジェスチャーを検出するステッ
プと、
前記第１ジェスチャーの位置で前記複数のボックスのうちの第１ボックスを決定するス
テップと、
前記第１ボックスが、前記タッチスクリーンディスプレイ上の実質上センタになるよう
に、前記構造化電子ドキュメントを拡大して並進移動するステップと、
前記第１ボックスが拡大されている間に、前記第１ボックス以外の第２ボックスにおい
て第２のジェスチャーを検出するステップと、
前記第２のジェスチャーを検出するのに応答して、前記第２ボックスが前記タッチスク
リーンディスプレイ上の実質上センタになるように、前記構造化電子ドキュメントを並進移動するステップと、を有する方法。
【請求項１６】
前記タッチスクリーンディスプレイ上の前記複数のコンテンツボックスの前記第２ボックスの少なくとも一部分を表示するように、前記構造化電子ドキュメントが拡大されて並進移動される、請求項１５に記載の方法。
【請求項１７】
前記複数のボックスは、スタイルシート言語によって定義される、請求項１５に記載の
方法。
【請求項１８】
前記構造化電子ドキュメントは、複数のノードをもつ関連レンダリングツリーを有し、
第１ジェスチャーの位置で第１ボックスを決定する前記ステップは、
前記レンダリングツリーをダウン方向に進んで、前記第１ジェスチャーの検出位置に対
応する前記複数のノード内の第１ノードを決定する段階と、
前記第１ノードからコンテンツの論理的グループを含む最至近の親ノードまで前記レン
ダリングツリーをアップ方向に進む段階と、
前記最至近の親ノードに対応するコンテンツを前記第１ボックスとして識別する段階と
、を含む、請求項１５に記載の方法。
【請求項１９】
前記拡大された第１ボックス上で第３ジェスチャーを検出するステップと、
前記第３ジェスチャーを検出するのに応答して、前記構造化電子ドキュメントの表示部分のサイズを減少するステップと、を含む、請求項１５に記載の方法。
【請求項２０】
前記第２ジェスチャーは、タップジェスチャーである、請求項１５に記載の方法。
【請求項２１】
前記ポータブル電子装置の向きの変化を検出するステップと、
前記ポータブル電子装置の向きの変化を検出するのに応答して、前記タッチスクリーン
ディスプレイ上で前記構造化電子ドキュメントの表示部分を９０°回転するステップと、
を含む、請求項１５に記載の方法。
【請求項２２】
タッチスクリーンディスプレイと、
１つ以上のプロセッサと、
メモリと、
１つ以上のプログラムと、
を備え、前記１つ以上のプログラムは、前記メモリに記憶され、前記１つ以上のプロセッ
サにより実行されるように構成され、更に、前記１つ以上のプログラムは、
前記タッチスクリーンディスプレイ上に構造化電子ドキュメントの少なくとも一部分
を表示するためのインストラクションであって、その構造化電子ドキュメントが複数のコ
ンテンツボックスを含むようなインストラクションと、
前記構造化電子ドキュメントの表示部分上の位置で第１ジェスチャーを検出するため
のインストラクションと、
前記第１ジェスチャーの位置で前記複数のボックスのうちの第１ボックスを決定するためのインストラクションであって、前記第１ボックスは第１のサイズを持つインストラクションと、
前記第１ボックスが、前記第１のサイズより大きな第２のサイズで前記タッチスクリーンディスプレイ上の実質上センタになるように、前記構造化電子ドキュメントを拡大して並進移動するためのインストラクションと、
前記第１ボックスが拡大されている間に、前記拡大されている第１ボックス上で第２ジェスチャーを検出するインストラクションと、
前記第２ジェスチャーを検出するのに応答して、前記構造化電子ドキュメントの表示部分のサイズを減少するインストラクションと、
を含むものである、ポータブル電子装置。
【請求項２３】
前記構造化電子ドキュメントの表示部分のサイズを減少する前記インストラクションは、前記第１ボックスを前記第１のサイズに縮小する、請求項２２に記載のポータブル電子装置。
【請求項２４】
前記第２ジェスチャー及び前記第１ジェスチャーは、同種のジェスチャーである、請求項２２に記載のポータブル電子装置。
【請求項２５】
前記第２ジェスチャーは、タップジェスチャーである、請求項２２に記載のポータブル電子装置。
【請求項２６】
前記第２ジェスチャーは、１本の指での二重タップ、２本の指での二重タップ、１本の指での単一タップ、又は２本の指での単一タップである、請求項２５に記載のポータブル電子装置。
【請求項２７】
１つ以上のプログラムが記録されたコンピュータ読み取り可能な記録媒体であって、前記１つ以上のプログラムはインストラクションを有し、前記インストラクションが、タッチスクリーンディスプレイを有するポータブル電子装置によって実行されたときに、前記ポータブル電子装置が、
前記タッチスクリーンディスプレイ上に構造化電子ドキュメントの少なくとも一部分を表示するステップであって、前記構造化電子ドキュメントは複数のコンテンツボックスを含むものであるステップと、
前記構造化電子ドキュメントの前記表示された部分上の位置で第１ジェスチャーを検出するステップと、
前記第１ジェスチャーの位置で前記複数のボックスのうちの第１ボックスを決定するステップであって、前記第１ボックスは第１のサイズを持つステップと、
前記第１ボックスが、前記第１のサイズより大きな第２のサイズで前記タッチスクリーンディスプレイ上の実質上センタになるように、前記構造化電子ドキュメントを拡大して並進移動するステップと、
前記第１ボックスが拡大されている間に、前記拡大されている第１ボックス上で第２ジェスチャーを検出するステップと、
前記第２ジェスチャーを検出するのに応答して、前記構造化電子ドキュメントの表示部分のサイズを減少するステップと、
を実行するような記録媒体。
【請求項２８】
前記構造化電子ドキュメントの表示部分のサイズを減少する前記ステップは、前記第１ボックスを前記第１のサイズに縮小する、請求項２７に記載の記録媒体。
【請求項２９】
前記第２ジェスチャー及び前記第１ジェスチャーは、同種のジェスチャーである、請求項２７に記載の記録媒体。
【請求項３０】
前記第２ジェスチャーは、タップジェスチャーである、請求項２７に記載の記録媒体。
【請求項３１】
前記第２ジェスチャーは、１本の指での二重タップ、２本の指での二重タップ、１本の指での単一タップ、又は２本の指での単一タップである、請求項３０に記載の記録媒体。
【請求項３２】
タッチスクリーンディスプレイを伴うポータブル電子装置で実施される方法であって、
前記タッチスクリーンディスプレイ上に構造化電子ドキュメントの少なくとも一部分を表示するステップであって、その構造化電子ドキュメントが複数のコンテンツボックスを含むようなステップと、
前記構造化電子ドキュメントの表示部分上の位置で第１ジェスチャーを検出するステップと、
前記第１ジェスチャーの位置で前記複数のボックスのうちの第１ボックスを決定するステップであって、前記第１ボックスは第１のサイズを持つステップと、
前記第１ボックスが、前記第１のサイズより大きな第２のサイズで前記タッチスクリーンディスプレイ上の実質上センタになるように、前記構造化電子ドキュメントを拡大して並進移動するステップと、
前記第１ボックスが拡大されている間に、前記拡大されている第１ボックス上で第２ジェスチャーを検出するステップと、
前記第２ジェスチャーを検出するのに応答して、前記構造化電子ドキュメントの表示部分のサイズを減少するステップと、を有する方法。
【請求項３３】
前記構造化電子ドキュメントの表示部分のサイズを減少する前記ステップは、前記第１ボックスを前記第１のサイズに縮小する、請求項３２に記載の方法。
【請求項３４】
前記第２ジェスチャー及び前記第１ジェスチャーは、同種のジェスチャーである、請求項３２に記載の方法。
【請求項３５】
前記第２ジェスチャーは、タップジェスチャーである、請求項３２に記載の方法。
【請求項３６】
前記第２ジェスチャーは、１本の指での二重タップ、２本の指での二重タップ、１本の指での単一タップ、又は２本の指での単一タップである、請求項３５に記載の方法。
【発明の詳細な説明】
【技術分野】
【０００１】
ここに開示する実施形態は、一般に、ポータブル電子装置に係り、より詳細には、ウェブページのような構造化電子ドキュメントをタッチスクリーンディスプレイ上に表示するポータブル電子装置に係る。
【背景技術】
【０００２】
ポータブル電子装置がよりコンパクトになり、所与の装置で遂行されるファンクションの数が増加するにつれて、ユーザがマルチファンクション装置と容易に対話できるようにするユーザインターフェイスを設計することが意義深い挑戦となっている。この挑戦は、デスクトップ及びラップトップコンピュータより非常に小さなスクリーンを有するハンドヘルドポータブル装置にとって特に意義深いものである。この状況は不利なものである。何故ならば、ユーザインターフェイスは、ユーザがコンテンツを受け取るだけでなく、装置の特徴、ツール及びファンクションにアクセスするユーザの試みを含むユーザのアクション又は振舞いに対する応答も受け取るゲートウェイだからである。あるポータブル通信装置（例えば、モバイルホン、セルホン、セルラー電話等とも時々称される移動電話）は、ユーザがデータにアクセスし、それを記憶し、又、操作できるようにするために、より多くのプッシュボタンを追加し、プッシュボタンの密度を高め、プッシュボタンのファンクションを過負荷状態にし、又は複雑なメニューシステムを使用することに頼っている。これらの従来のユーザインターフェイスは、ユーザが覚えねばならない複雑なキーシーケンス及びメニューハイアラーキーをしばしば招く。
【０００３】
又、物理的なプッシュボタンを含むような従来の多数のユーザインターフェイスは、融通性もない。これは、ユーザインターフェイスがポータブル装置で実行されるアプリケーション又はユーザのいずれかによって構成され及び／又は適応されるのを妨げることもあるので、不適切である。多数のキーシーケンス及びメニューハイアラーキーを覚えるための時間のかかる要求や、希望のプッシュボタンを操作する困難さと結び付いたときには、このような融通性のなさがほとんどのユーザにとってフラストレーションとなる。
【０００４】
特に、従来の入力装置（例えば、５方トグルスイッチ）を使用して小さなスクリーンのポータブル電子装置において構造化電子ドキュメント（例えば、ウェブページ）をナビゲートすることは、ゆっくりで且つ飽き飽きするものである。更に、ポータブル電子装置においてこのようなドキュメント内のマルチメディアコンテンツを制御し及び見ることは、厄介なことである。
【発明の概要】
【発明が解決しようとする課題】
【０００５】
そこで、構造化電子ドキュメント及びこのようなドキュメント内のマルチメディアコンテンツを見てナビゲートするための、より透過的で且つ直感的なユーザインターフェイスを伴うポータブル電子装置が要望されている。このようなインターフェイスは、ポータブル電子装置におけるウェブブラウジングのようなアクティビティで有効性、効率及びユーザ満足度を高める。
【課題を解決するための手段】
【０００６】
ポータブル装置のためのユーザインターフェイスに関連した前記欠点及び他の問題は、ここに開示するポータブルマルチファンクション装置によって緩和され又は排除される。ある実施形態では、この装置は、グラフィックユーザインターフェイス（ＧＵＩ）を伴うタッチ感知ディスプレイ（「タッチスクリーン」としても知られている）と、１つ以上のプロセッサと、メモリと、多数のファンクションを遂行するためメモリに記憶された１つ以上のモジュール、プログラム又はインストラクションセットとを有する。ある実施形態では、ユーザは、タッチ感知ディスプレイ上で主として指接触及びジェスチャーを通してＧＵＩと対話する。ある実施形態では、ファンクションは、電話通話、ビデオ会議、ｅ−メール、インスタントメッセージング、ブログ、デジタル写真、デジタルビデオ、ウェブブラウジング、デジタル音楽の再生、及び／又はデジタルビデオの再生を含んでもよい。これらのファンクションを遂行するためのインストラクションは、１つ以上のプロセッサで実行するように構成されたコンピュータ読み取り可能な記憶媒体又は他のコンピュータプログラム製品に記憶されてもよい。
【０００７】
本発明の１つの態様において、タッチスクリーンディスプレイを伴うポータブル電子装置に関連して使用するためのコンピュータ実施方法は、タッチスクリーンディスプレイ上に構造化電子ドキュメントの少なくとも一部分を表示するステップであって、その構造化電子ドキュメントが複数のコンテンツボックスを含むものであるステップと、構造化電子ドキュメントの表示部分上の位置で第１ジェスチャーを検出するステップと、この第１ジェスチャーの位置で複数のボックスのうちの第１ボックスを決定するステップと、タッチスクリーンディスプレイ上で第１ボックスを拡大し、実質的にセンタリングするステップと、を備えている。
【０００８】
本発明の別の態様において、タッチスクリーンディスプレイを伴うポータブル電子装置のグラフィックユーザインターフェイスは、構造化電子ドキュメントの少なくとも一部分を備え、この構造化電子ドキュメントは、複数のコンテンツボックスを含む。構造化電子ドキュメントの一部分上の位置で第１ジェスチャーを検出するのに応答して、その第１ジェスチャーの位置で複数のボックスのうちの第１ボックスが決定され、そしてこの第１ボックスがタッチスクリーンディスプレイ上で拡大され、実質的にセンタリングされる。
【０００９】
本発明の別の態様において、ポータブル電子装置は、タッチスクリーンディスプレイと、１つ以上のプロセッサと、メモリと、１つ以上のプログラムとを備えている。１つ以上のプログラムは、メモリに記憶され、１つ以上のプロセッサにより実行されるように構成される。１つ以上のプログラムは、タッチスクリーンディスプレイ上に構造化電子ドキュメントの少なくとも一部分を表示するためのインストラクションを含み、その構造化電子ドキュメントは、複数のコンテンツボックスを含むものである。又、１つ以上のプログラムは、構造化電子ドキュメントの表示部分上の位置で第１ジェスチャーを検出するためのインストラクションと、この第１ジェスチャーの位置で複数のボックスのうちの第１ボックスを決定するためのインストラクションと、タッチスクリーンディスプレイ上で第１ボックスを拡大し、実質的にセンタリングするためのインストラクションと、を含む。
【００１０】
本発明の別の態様において、コンピュータプログラム製品は、コンピュータ読み取り可能な記憶媒体と、そこに埋め込まれたコンピュータプログラムメカニズム（例えば、１つ以上のコンピュータプログラム）とを備えている。このコンピュータプログラムメカニズムは、タッチスクリーンディスプレイを伴うポータブル電子装置により実行されたときに、その装置が、タッチスクリーンディスプレイ上に構造化電子ドキュメントの少なくとも一部分を表示し、その構造化電子ドキュメントは、複数のコンテンツボックスを含むものであり、更に、構造化電子ドキュメントの表示部分上の位置で第１ジェスチャーを検出し、この第１ジェスチャーの位置で複数のボックスのうちの第１ボックスを決定し、そしてタッチスクリーンディスプレイ上で第１ボックスを拡大し、実質的にセンタリングする、ようにさせるインストラクションを含む。
【００１１】
本発明の別の態様において、タッチスクリーンディスプレイを伴うポータブル電子装置は、タッチスクリーンディスプレイ上に構造化電子ドキュメントの少なくとも一部分を表示するための手段であって、その構造化電子ドキュメントは、複数のコンテンツボックスを含むものである手段と、構造化電子ドキュメントの表示部分上の位置で第１ジェスチャーを検出するための手段と、この第１ジェスチャーの位置で複数のボックスのうちの第１ボックスを決定するための手段と、タッチスクリーンディスプレイ上で第１ボックスを拡大し、実質的にセンタリングするための手段と、を備えている。
【発明の効果】
【００１２】
ここに開示する実施形態は、構造化電子ドキュメント及びそのようなドキュメント内のマルチメディアコンテンツをユーザがポータブル電子装置上で容易に見てナビゲートできるようにする。
【００１３】
本発明の上述した実施形態及びその付加的な実施形態を良く理解するために、全図面にわたり対応する部分を同じ参照番号で示した添付図面を参照して、実施形態を詳細に説明する。
【図面の簡単な説明】
【００１４】
【図１Ａ】ある実施形態に基づくタッチ感知ディスプレイを伴うポータブルマルチファンクション装置を示すブロック図である。
【図１Ｂ】ある実施形態に基づくタッチ感知ディスプレイを伴うポータブルマルチファンクション装置を示すブロック図である。
【図２】ある実施形態に基づくタッチスクリーンを有するポータブルマルチファンクション装置を示す図である。
【図３】ある実施形態に基づきポータブル電子装置をアンロックするためのユーザインターフェイスを例示する図である。
【図４Ａ】ある実施形態に基づくポータブルマルチファンクション装置におけるアプリケーションのメニューのためのユーザインターフェイスを例示する図である。
【図４Ｂ】ある実施形態に基づくポータブルマルチファンクション装置におけるアプリケーションのメニューのためのユーザインターフェイスを例示する図である。
【図５Ａ】ある実施形態に基づくブラウザのためのユーザインターフェイスを例示する図である。
【図５Ｂ】ある実施形態に基づくブラウザのためのユーザインターフェイスを例示する図である。
【図５Ｃ】ある実施形態に基づくブラウザのためのユーザインターフェイスを例示する図である。
【図５Ｄ】ある実施形態に基づくブラウザのためのユーザインターフェイスを例示する図である。
【図５Ｅ】ある実施形態に基づくブラウザのためのユーザインターフェイスを例示する図である。
【図５Ｆ】ある実施形態に基づくブラウザのためのユーザインターフェイスを例示する図である。
【図５Ｇ】ある実施形態に基づくブラウザのためのユーザインターフェイスを例示する図である。
【図５Ｈ】ある実施形態に基づくブラウザのためのユーザインターフェイスを例示する図である。
【図５Ｉ】ある実施形態に基づくブラウザのためのユーザインターフェイスを例示する図である。
【図５Ｊ】ある実施形態に基づくブラウザのためのユーザインターフェイスを例示する図である。
【図５Ｋ】ある実施形態に基づくブラウザのためのユーザインターフェイスを例示する図である。
【図５Ｌ】ある実施形態に基づくブラウザのためのユーザインターフェイスを例示する図である。
【図５Ｍ】ある実施形態に基づくブラウザのためのユーザインターフェイスを例示する図である。
【図６Ａ】ある実施形態に基づきタッチスクリーンディスプレイを伴うポータブル電子装置にウェブページのような構造化電子ドキュメントを表示するためのプロセスを示すフローチャートである。
【図６Ｂ】ある実施形態に基づきタッチスクリーンディスプレイを伴うポータブル電子装置にウェブページのような構造化電子ドキュメントを表示するためのプロセスを示すフローチャートである。
【図６Ｃ】ある実施形態に基づきタッチスクリーンディスプレイを伴うポータブル電子装置にウェブページのような構造化電子ドキュメントを表示するためのプロセスを示すフローチャートである。
【図７Ａ】ある実施形態に基づきインラインマルチメディアコンテンツのアイテムを再生するためのユーザインターフェイスを例示する図である。
【図７Ｂ】ある実施形態に基づきインラインマルチメディアコンテンツのアイテムを再生するためのユーザインターフェイスを例示する図である。
【図７Ｃ】ある実施形態に基づきインラインマルチメディアコンテンツのアイテムを再生するためのユーザインターフェイスを例示する図である。
【図７Ｄ】ある実施形態に基づきインラインマルチメディアコンテンツのアイテムを再生するためのユーザインターフェイスを例示する図である。
【図７Ｅ】ある実施形態に基づきインラインマルチメディアコンテンツのアイテムを再生するためのユーザインターフェイスを例示する図である。
【図７Ｆ】ある実施形態に基づきインラインマルチメディアコンテンツのアイテムを再生するためのユーザインターフェイスを例示する図である。
【図８】ある実施形態に基づきタッチスクリーンディスプレイを伴うポータブル電子装置にインラインマルチメディアコンテンツを表示するためのプロセスを示すフローチャートである。
【発明を実施するための形態】
【００１５】
添付図面に示された実施形態を以下に詳細に説明する。以下の詳細な説明において、本発明を完全に理解するために多数の特定の細部について述べる。しかしながら、当業者であれば、本発明は、これらの特定の細部を伴わずに実施できることが明らかであろう。その他の点で、これら実施形態の観点を不必要に不明瞭にしないために、良く知られた方法、手順、コンポーネント、回路及びネットワークは、詳細に説明しない。
【００１６】
又、第１、第２、等の語は、ここでは種々の要素を記述するのに使用されるが、これらの要素は、これらの語によって限定されるべきではないことも理解されたい。これらの語は、ある要素を別の要素と区別するためにのみ使用される。例えば、本発明の範囲から逸脱せずに、第１のジェスチャーは、第２のジェスチャーと称することもできるし、第２のジェスチャーは、第１のジェスチャーと称することもできる。
【００１７】
本発明の説明で使用される用語は、特定の実施形態を説明するためのものに過ぎず、本発明を限定するように意図されていない。本発明の説明及び特許請求の範囲で使用されるように、単数形態“ａ”、“an”及び“the”は、特に明確な指示のない限り、複数形態も含むことが意図される。又、ここで使用する“及び／又は(and/or)”は、１つ以上の列挙された関連アイテムの任意の及び全ての考えられる組合せを指し及び包含することも理解されたい。更に、“備える(comprises)”及び／又は“備えている(comprising)”という語は、本明細書で使用されるときには、述べられた特徴、整数、ステップ、オペレーション、エレメント、及び／又はコンポーネントの存在を特定するものであるが、１つ以上の他の特徴、整数、ステップ、オペレーション、エレメント、コンポーネント及び／又はそのグループの存在又は追加を除外するものではないことも理解されたい。
【００１８】
ポータブルマルチファンクション装置、このような装置のためのユーザインターフェイス、及びこのような装置を使用するための関連プロセスの実施形態について説明する。ある実施形態では、装置は、ＰＤＡ及び／又は音楽プレーヤファンクションのような他のファンクションも含む移動電話のようなポータブル通信装置である。
【００１９】
ユーザインターフェイスは、タッチスクリーン、又はタッチスクリーン上に表示されるバーチャルクリックホイールに加えて、物理的なクリックホイールを含むことができる。クリックホイールとは、ホイールの角度変位又は装置のユーザによるホイールとの接触点に基づいて、ナビゲーションコマンドを与えることのできるユーザインターフェイス装置である。又、クリックホイールは、例えば、装置のユーザがホイールの少なくとも一部分又はホイールの中心を押し下げたときに、１つ以上のアイテムの選択に対応するユーザコマンドを与えるように使用することもできる。或いは又、タッチスクリーン面上のクリックホイール映像との接触を遮断すると、選択に対応するユーザコマンドを指示することができる。簡単化のために、以下の説明において、タッチスクリーンを含むポータブルマルチファンクション装置は、一実施形態として使用される。しかしながら、ユーザインターフェイス及びそれに関連するプロセスの幾つかは、物理的クリックホイール、物理的キーボード、マウス、及び／又はジョイスティックのような１つ以上の他の物理的ユーザインターフェイス装置を含む、パーソナルコンピュータ及びラップトップコンピュータのような他の装置にも適用できることを理解されたい。
【００２０】
この装置は、次のものの１つ以上のような種々のアプリケーションをサポートする。即ち、電話アプリケーション、ビデオ会議アプリケーション、ｅ−メールアプリケーション、インスタントメッセージングアプリケーション、ブログアプリケーション、写真管理アプリケーション、デジタルカメラアプリケーション、デジタルビデオカメラアプリケーション、ウェブブラウジングアプリケーション、デジタル音楽プレーヤアプリケーション、及び／又はデジタルビデオプレーヤアプリケーション。
【００２１】
装置において実行することのできる種々のアプリケーションは、少なくとも１つの共通の物理的ユーザインターフェイス装置、例えば、タッチスクリーンを使用することができる。タッチスクリーンの１つ以上のファンクション、及び装置に表示される対応する情報は、アプリケーションごとに及び／又は各アプリケーション内で調整し及び／又は変更することができる。このように、装置の共通の物理的アーキテクチャー（タッチスクリーンのような）は、直感的及び透過的なユーザインターフェイスで種々のアプリケーションをサポートすることができる。
【００２２】
ユーザインターフェイスは、１つ以上のソフトキーボード実施形態を含むことができる。ソフトキーボード実施形態は、参考として内容をここに援用する２００６年７月２４日に出願された“Keyboards For Portable Electronic Devices”と題する米国特許出願第１１／４５９，６０６号、及び２００６年７月２４日に出願された“Touch Screen Keyboards For Portable Electronic Devices”と題する第１１／４５９，６１５号に説明されたように、キーボードの表示アイコン上に標準（ＱＷＥＲＴＹ）及び／又は非標準構成の記号を含むことができる。キーボード実施形態は、タイプライターの場合のような既存の物理的キーボードにおけるキーの数に対して減少された数のアイコン（又はソフトキー）を含むことができる。これは、ユーザがキーボードにおいて１つ以上のアイコン、ひいては、１つ以上の対応する記号を容易に選択できるようにする。キーボードの実施形態は、適応式とすることができる。例えば、表示されるアイコンは、１つ以上のアイコン及び／又は１つ以上の対応する記号を選択する等のユーザのアクションに基づいて変更することができる。ポータブル装置における１つ以上のアプリケーションは、共通の及び／又は異なるキーボード実施形態を使用することができる。従って、使用するキーボード実施形態は、少なくとも幾つかのアプリケーションに対して仕立てることができる。ある実施形態では、１つ以上のキーボード実施形態を各ユーザに対して仕立てることができる。例えば、１つ以上のキーボード実施形態を、各ユーザのワード使用履歴（辞書、スラング、個々の使用）に基づいて各ユーザに対して仕立てることができる。キーボード実施形態の幾つかは、１つ以上のアイコン、従って、ソフトキーボード実施形態を使用するときには１つ以上の記号、を選択するときのユーザエラーの確率を減少するように調整できる。
【００２３】
ここで、装置の実施形態に注目を向ける。図１Ａ及び１Ｂは、ある実施形態に基づくタッチ感知ディスプレイ１１２を伴うポータブルマルチファンクション装置１００を示すブロック図である。タッチ感知ディスプレイ１１２は、便宜上「タッチスクリーン」とも称され、又、タッチ感知ディスプレイシステムとしても知られ又はそのように称されることもある。この装置１００は、メモリ１０２（１つ以上のコンピュータ読み取り可能な記憶媒体を含む）と、メモリコントローラ１２２と、１つ以上の処理ユニット（ＣＰＵ）１２０と、周辺インターフェイス１１８と、ＲＦ回路１０８と、オーディオ回路１１０と、スピーカ１１１と、マイクロホン１１３と、入力／出力（Ｉ／Ｏ）サブシステム１０６と、他の入力又は制御装置１１６と、外部ポート１２４とを備えることができる。更に、装置１００は、１つ以上の光学的センサ１６４を備えることもできる。これらのコンポーネントは、１つ以上の通信バス又は信号ライン１０３を経て通信することができる。
【００２４】
装置１００は、ポータブルマルチファンクション装置１００の一例に過ぎず、又、装置１００は、図示された以上の又はそれ以下のコンポーネントを有してもよく、２つ以上のコンポーネントを組み合わせてもよく、或いは異なる構成又は配置のコンポーネントを有してもよいことが明らかであろう。図１Ａ及び１Ｂに示す種々のコンポーネントは、１つ以上の信号処理及び／又は特定用途向け集積回路を含めて、ハードウェア、ソフトウェア、又はその両方の組合せで実施されてもよい。
【００２５】
メモリ１０２は、高速ランダムアクセスメモリを含み、又、不揮発性メモリ、例えば、１つ以上の磁気ディスク記憶装置、フラッシュメモリ装置、又は他の不揮発性ソリッドステートメモリ装置を含んでもよい。装置１００の他のコンポーネント、例えば、ＣＰＵ１２０及び周辺インターフェイス１１８によるメモリ１０２へのアクセスは、メモリコントローラ１２２によって制御することができる。
【００２６】
周辺インターフェイス１１８は、装置の入力及び出力周辺機器をＣＰＵ１２０及びメモリ１０２に結合する。１つ以上のプロセッサ１２０は、メモリ１０２に記憶された種々のソフトウェアプログラム及び／又はインストラクションセットを走らせ或いは実行して、装置１００の種々のファンクションを遂行し、データを処理する。
【００２７】
ある実施形態では、周辺インターフェイス１１８、ＣＰＵ１２０、及びメモリコントローラ１２２は、チップ１０４のような単一チップにおいて実施されてもよい。幾つかの他の実施形態では、それらは、個別のチップにおいて実施されてもよい。
【００２８】
ＲＦ（高周波）回路１０８は、電磁信号とも称されるＲＦ信号を受信し送信する。ＲＦ回路１０８は、電気信号と電磁信号との間で変換を行い、電磁信号を経て通信ネットワーク及び他の通信装置と通信する。ＲＦ回路１０８は、これらのファンクションを遂行するための良く知られた回路を含むことができ、アンテナシステムや、ＲＦトランシーバーや、１つ以上の増幅器や、チューナや、１つ以上の発振器や、デジタル信号プロセッサや、ＣＯＤＥＣチップセットや、加入者アイデンティティモジュール（ＳＩＭ）カードや、メモリ、等を含むが、これらに限定されない。ＲＦ回路１０８は、ネットワーク、例えば、ワールドワイドウェブ（ＷＷＷ）とも称されるインターネットや、イントラネット及び／又はワイヤレスネットワーク、例えば、セルラー電話ネットワーク、ワイヤレスローカルエリアネットワーク（ＬＡＮ）及び／又はメトロポリタンエリアネットワーク（ＭＡＮ）や、他の装置とワイヤレス通信により通信することができる。ワイヤレス通信は、複数の通信規格、プロトコル、及びテクノロジーのいずれかを使用することができ、これらは、グローバルシステム・フォー・モバイルコミュニケーション（ＧＳＭ）や、エンハンストデータＧＳＭエンビロンメント（ＥＤＧＥ）や、ワイドバンドコード分割多重アクセス（Ｗ−ＣＤＭＡ）や、コード分割多重アクセス（ＣＤＭＡ）や、時分割多重アクセス（ＴＤＭＡ）や、ブルーツースや、ワイヤレスフィデリティ（Ｗｉ−Ｆｉ）（例えば、ＩＥＥＥ８０２．１１ａ、ＩＥＥＥ８０２．１１ｂ、ＩＥＥＥ８０２．１１ｇ、及び／又はＩＥＥＥ８０２．１１ｎ）や、ボイスオーバーインターネットプロトコル（ＶｏＩＰ）や、Ｗｉ−ＭＡＸや、ｅ−メール用のプロトコル（例えば、インターネットメッセージアクセスプロトコル（ＩＭＡＰ）及び／又はポストオフィスプロトコル（ＰＯＰ））や、インスタントメッセージング（例えば、拡張可能なメッセージング及び存在プロトコル（ＸＭＰＰ）、セッションイニシエーションプロトコル・フォー・インスタントメッセージング・アンド・プレゼンスレバレッジエクステンション（ＳＩＭＰＬＥ）、及び／又はインスタントメッセージング・アンド・プレゼンスサービス（ＩＭＰＳ））や、及び／又はショートメッセージサービス（ＳＭＳ））や、或いは本願の出願日にはまだ開発されていない通信プロトコルを含む他の適当な通信プロトコルを含むが、これらに限定されない。
【００２９】
オーディオ回路１１０、スピーカ１１１及びマイクロホン１１３は、ユーザと装置１００との間のオーディオインターフェイスをなす。オーディオ回路１１０は、周辺インターフェイス１１８からオーディオデータを受け取り、そのオーディオデータを電気信号に変換し、そしてその電気信号をスピーカ１１１へ送出する。スピーカ１１１は、電気信号を人間が聞き取れる音波へ変換する。又、オーディオ回路１１０は、音波からマイクロホン１１３により変換された電気信号も受け取る。オーディオ回路１１０は、電気信号をオーディオデータへ変換し、そしてそのオーディオデータを処理のために周辺装置１１８へ送出する。オーディオデータは、周辺インターフェイス１１８により、メモリ１０２及び／又はＲＦ回路１０８から検索され及び／又はそこに送出されてもよい。ある実施形態では、オーディオ回路１１０は、ヘッドセットジャック（例えば、図２の２１２）も含む。ヘッドセットジャックは、オーディオ回路１１０と、取り外し可能なオーディオ入力／出力周辺機器、例えば、出力専用のヘッドホン、或いは出力（例えば、片耳又は両耳用のヘッドホン）及び入力（例えば、マイクロホン）の両方を伴うヘッドセットとの間のインターフェイスをなす。
【００３０】
Ｉ／Ｏサブシステム１０６は、装置１００の入力／出力周辺機器、例えば、タッチスクリーン１１２及び他の入力／出力装置１１６を周辺インターフェイス１１８に結合する。Ｉ／Ｏサブシステム１０６は、他の入力又は制御装置のためのディスプレイコントローラ１５６及び１つ以上の入力コントローラ１６０を含むことができる。１つ以上の入力コントローラ１６０は、他の入力又は制御装置１１６との間で電気信号を送信／受信する。他の入力／制御装置１１６は、物理的なボタン（例えば、プッシュボタン、ロッカーボタン、等）、ダイヤル、スライダースイッチ、ジョイスティック、クリックホイール、等を含むことができる。幾つかの別の実施形態では、入力コントローラ１６０（１つ又は複数）は、次のうちのどれかに接続されてもよい（又はどれにも接続されなくてもよい）。即ち、キーボード、赤外線ポート、ＵＳＢポート、及びマウスのようなポインタ装置。１つ以上のボタン（例えば、図２の２０８）は、スピーカ１１１及び／又はマイクロホン１１３の音量制御のためのアップ／ダウンボタンを含んでもよい。１つ以上のボタンは、プッシュボタン（例えば、図２の２０６）を含んでもよい。プッシュボタンを素早く押すと、タッチスクリーン１１２のロックを外すことができるか、又はタッチスクリーン上のジェスチャーを使用して装置をアンロックするプロセスを開始することができ、これは、参考としてここに援用する２００５年１２月２３日に出願された“Unlocking a Device by Performing Gestures on an Unlock Image”と題する米国特許出願第１１／３２２，５４９号に説明されている。プッシュボタン（例えば、２０６）を長く押すと、装置１００への電力をオン又はオフにすることができる。ユーザは、１つ以上のボタンのファンクションをカスタマイズすることもできる。タッチスクリーン１１２は、バーチャル又はソフトボタン及び１つ以上のソフトキーボードを実施するのに使用される。
【００３１】
タッチ感知タッチスクリーン１１２は、装置とユーザとの間の入力インターフェイス及び出力インターフェイスをなす。ディスプレイコントローラ１５６は、タッチスクリーン１１２との間で電気信号を送信及び又は受信する。タッチスクリーン１１２は、ユーザに視覚出力を表示する。この視覚出力は、グラフィック、テキスト、アイコン、ビデオ、及びその組み合わせ（「グラフィック」と総称する）を含むことができる。ある実施形態では、視覚出力の幾つか又は全部が、ユーザインターフェイスオブジェクトに対応してもよく、その更なる詳細は、以下に述べる。
【００３２】
タッチスクリーン１１２は、触覚及び／又は触感接触に基づくユーザからの入力を受け容れるタッチ感知面、センサ又はセンサセットを有する。タッチスクリーン１１２及びディスプレイコントローラ１５６は（メモリ１０２における関連したモジュール及び／又はインストラクションセットと共に）、タッチスクリーン１１２上の接触（及び接触の移動又は遮断）を検出し、そしてその検出された接触を、タッチスクリーン上に表示されるユーザインターフェイスオブジェクト（例えば、１つ以上のソフトキー、アイコン、ウェブページ又は映像）へと変換する。ここに例示する実施形態では、タッチスクリーン１１２とユーザとの間の接触点は、ユーザの指に対応する。
【００３３】
タッチスクリーン１１２は、ＬＣＤ（液晶表示）技術又はＬＰＤ（発光ポリマー表示）技術を使用できるが、他の実施形態では他の表示技術が使用されてもよい。タッチスクリーン１１２及びディスプレイコントローラ１５６は、現在知られている又は今後開発される複数のタッチ感知技術のいずれかを使用して、接触及びその移動又は遮断を検出することができ、前記タッチ感知技術は、容量性、抵抗性、赤外線、及び表面音波技術、並びにタッチスクリーン１１２との１つ以上の接触点を決定するための他の接近センサアレー又は他の素子を含むが、これらに限定されない。
【００３４】
タッチスクリーン１１２のある実施形態におけるタッチ感知ディスプレイは、参考として各々ここに援用する米国特許第６，３２３，８４６号（ウェスターマン氏等）、第６，５７０，５５７号（ウェスターマン氏等）、及び／又は第６，６７７，９３２号（ウェスターマン氏）、及び／又は米国特許公告第２００２／００１５０２４Ａ１号に説明されたマルチタッチ感知タブレットと同様のものでよい。しかしながら、タッチスクリーン１１２は、ポータブル装置１００からの視覚出力を表示するが、そのタッチ感知タブレットは、視覚出力を与えない。
【００３５】
タッチスクリーン１１２のある実施形態におけるタッチ感知ディスプレイは、次の特許出願に説明されている。（１）２００６年５月２日に出願された“Multipoint Touch Surface Controller”と題する米国特許出願第１１／３８１，３１３号、（２）２００４年５月６日に出願された“Multipoint Touchscreen”と題する米国特許出願第１０／８４０，８６２号、（３）２００４年７月３０日に出願された“Gestures For Touch Sensitive Input Devices”と題する米国特許出願第１０／９０３，９６４号、（４）２００５年１月３１日に出願された“Gestures For Touch Sensitive Input Devices”と題する米国特許出願第１１／０４８，２６４号、（５）２００５年１月１８日に出願された“Mode-Based Graphical User Interfaces For Touch Sensitive Input Devices”と題する米国特許出願第１１／０３８，５９０号、（６）２００５年９月１６日に出願された“Virtual Input Device Placement On A Touch Screen User Interface”と題する米国特許出願第１１／２２８，７５８号、（７）２００５年９月１６日に出願された“Operation Of A Computer With A Touch Screen Interface”と題する米国特許出願第１１／２２８，７００号、（８）２００５年９月１６日に出願された“Activating Virtual Keys Of A Touch-Screen Virtual Keyboard”と題する米国特許出願第１１／２２８，７３７号、及び（９）２００６年３月３日に出願された“Multi-Functional Hand-Held Device”と題する米国特許出願第１１／３６７，７４９号。これらの出願は、全て、参考としてここに援用する。
【００３６】
タッチスクリーン１１２は、１００ｄｐｉを越える解像度をもつことができる。ここに例示する実施形態では、タッチスクリーンは、約１６０ｄｐｉの解像度を有する。ユーザは、スタイラス、指、等の適当なオブジェクト又は付属器官を使用して、タッチスクリーン１１２に接触することができる。ある実施形態では、ユーザインターフェイスは、主として、指に基づく接触及びジェスチャーで働くように設計され、これは、タッチスクリーンにおける指の接触面積が広いために、スタイラスに基づく入力よりあまり正確でない。ある実施形態では、装置は、大ざっぱな指に基づく入力を、正確なポインタ／カーソル位置、又はユーザが希望するアクションを遂行するためのコマンドに変換する。
【００３７】
ある実施形態では、タッチスクリーンに加えて、装置１００は、特定のファンクションをアクチベート又はデアクチベートするためのタッチパッド（図示せず）を含むことができる。ある実施形態では、タッチパッドは、タッチスクリーンとは異なり、視覚出力を表示しない装置のタッチ感知エリアである。タッチパッドは、タッチスクリーン１１２とは個別のタッチ感知面でもよいし、又はタッチスクリーンにより形成されたタッチ感知面の延長部でもよい。
【００３８】
ある実施形態では、装置１００は、入力制御装置１１６として物理的又はバーチャルクリックホイールを含むことができる。ユーザは、クリックホイールを回転することにより、又はクリックホイールとの接触点を移動することにより（例えば、接触点の移動量を、クリックホイールの中心点に対するその角度変位で測定する場合）、タッチスクリーン１１２に表示される１つ以上のグラフィックオブジェクト（以下、アイコンと称する）の中をナビゲートすることができ且つそれらと対話することができる。又、クリックホイールは、表示されたアイコンの１つ以上を選択するのに使用することもできる。例えば、ユーザは、クリックホイールの少なくとも一部分又はそれに関連したボタンを押し下げることができる。クリックホイールを経てユーザにより与えられるユーザコマンド及びナビゲーションコマンドは、入力コントローラ１６０、並びにメモリ１２０における１つ以上のモジュール及び／又はインストラクションセットによって処理することができる。バーチャルクリックホイールの場合、クリックホイール及びクリックホイールコントローラは、各々、タッチスクリーン１１２の一部分及びディスプレイコントローラ１５６でよい。又、バーチャルクリックホイールの場合、クリックホイールは、装置とのユーザ対話に応答してタッチスクリーンディスプレイ上に現れたり消えたりする不透明又は半透明なオブジェクトでよい。ある実施形態では、バーチャルクリックホイールは、ポータブルマルチファンクション装置のタッチスクリーンに表示され、タッチスクリーンとのユーザ接触により動作される。
【００３９】
又、装置１００は、種々のコンポーネントに通電するための電源システム１６２も備えている。この電源システム１６２は、電力管理システムと、１つ以上の電源（例えば、バッテリ、交流（ＡＣ））と、再充電システムと、停電検出回路と、電力コンバータ又はインバータと、電力状態インジケータ（例えば、発光ダイオード（ＬＥＤ））と、ポータブル装置における電力の発生、管理及び配電に関連した他のコンポーネントとを含むことができる。
【００４０】
又、装置１００は、１つ以上の光学的センサ１６４を含むこともできる。図１Ａ及び１Ｂは、Ｉ／Ｏサブシステム１０６内の光学的センサコントローラ１５８に結合された光学的センサを示す。光学的センサ１６４は、電荷結合装置（ＣＣＤ）又は相補的金属酸化物半導体（ＣＭＯＳ）ホトトランジスタを含むことができる。光学的センサ１６４は、周囲から１つ以上のレンズを通して投射された光を受け、そしてその光を、映像を表すデータへと変換する。像形成モジュール１４３（カメラモジュールとも称される）に関連して、光学的センサ１６４は、静止映像又はビデオを捕獲することもできる。ある実施形態では、装置前面のタッチスクリーンディスプレイ１１２とは反対の装置１００の背面に光学センサが配置され、タッチスクリーンディスプレイは、静止映像及び／又はビデオ映像取得のためのビューファインダとして使用することができる。ある実施形態では、装置の前面に光学的センサを配置して、ビデオ会議のためのユーザの映像を得る一方、ユーザは、他のビデオ会議参加者をタッチスクリーンディスプレイに見ることができる。ある実施形態では、光学的センサ１６４の位置をユーザが切り換え（例えば、装置ハウジング内でレンズ及びセンサを回転することにより）、単一の光学的センサ１６４を、タッチスクリーンディスプレイと共に、ビデオ会議と、静止映像及び／又はビデオ映像取得との両方に使用することができる。
【００４１】
又、装置１００は、１つ以上の接近センサ１６６を含むこともできる。図１Ａ及び１Ｂは、周辺インターフェイス１１８に結合された接近センサ１６６を示している。或いは又、接近センサ１６６は、Ｉ／Ｏサブシステム１０６の入力コントローラ１６０に結合されてもよい。接近センサ１６６は、参考としてここに援用する次の米国特許出願に説明されたように動作することができる。即ち、２００５年９月３０日に出願された“Proximity Detector In Handheld Devices”と題する米国特許出願第１１／２４１，８３９号、２００５年９月３０日に出願された“Proximity Detector In Handheld Devices”と題する米国特許出願第１１／２４０，７８８号、２００７年１月７日に出願された“Using Ambient Light Sensor To Augment Proximity Sensor Output”と題する米国特許出願、代理人管理番号第０４８６０．Ｐ４８５１ＵＳ号、２００６年１０月２４日に出願された“Automated Response To And Sensing Of User Activity In Portable Devices”と題する米国特許出願、代理人管理番号第０４８６０．Ｐ４２９３号、及び２００６年１２月１２日に出願された“Methods And Systems For Automatic Configuration Of Peripherals”と題する米国特許出願、代理人管理番号第４８６０．Ｐ４２９３号。ある実施形態では、接近センサは、マルチファンクション装置がユーザの耳の付近に配置されたときに（例えば、ユーザが電話コールをなすときに）タッチスクリーン１１２をターンオフし、ディスエイブルする。ある実施形態では、装置がロック状態にあるときに不必要なバッテリの消耗を防止するために、接近センサは、装置がユーザのポケット、ハンドバック、又は他の暗いエリアに入れられたときにスクリーンをオフに保持する。
【００４２】
又、装置１００は、１つ以上の加速度計１６８を含むこともできる。図１Ａ及び１Ｂは、周辺インターフェイス１１８に結合された加速度計１６８を示す。或いは又、加速度計１６８は、Ｉ／Ｏサブシステム１０６の入力コントローラ１６０に結合することができる。加速度計１６８は、“Acceleration-based Theft Detection System for Portable Electronic Devices”と題する米国特許公告第２００５０１９００５９号、及び“Methods And Apparatus For Operating A Portable Device Based On An Accelerometer”と題する米国特許公告第２００６００１７６９２号に説明されたように動作することができ、これらは、両方とも、参考としてここに援用する。ある実施形態では、１つ以上の加速度計から受け取ったデータの分析に基づいて情報がタッチスクリーンディスプレイに肖像ビュー又は風景ビューで表示される。
【００４３】
ある実施形態では、メモリ１０２に記憶されるソフトウェアコンポーネントは、オペレーティングシステム１２６と、通信モジュール（又はインストラクションのセット）１２８と、接触／運動モジュール（又はインストラクションのセット）１３０と、グラフィックモジュール（又はインストラクションのセット）１３２と、テキスト入力モジュール（又はインストラクションのセット）１３４と、グローバルポジショニングシステム（ＧＰＳ）モジュール（又はインストラクションのセット）１３５と、アプリケーション（又はインストラクションのセット）１３６と、を含むことができる。
【００４４】
オペレーティングシステム１２６（例えば、ダーウイン(Darwin)、ＲＴＸＣ、ＬＩＮＵＸ、ＵＮＩＸ、ＯＳ  Ｘ、ＷＩＮＤＯＷＳ、又は埋め込まれたオペレーティングシステム、例えば、ＶｘＷｏｒｋｓ）は、一般的なシステムタスク（例えば、メモリの管理、記憶装置の制御、電源の管理、等）を制御し及び管理するための種々のソフトウェアコンポーネント及び／又はドライバを備え、そして種々のハードウェアコンポーネントとソフトウェアコンポーネントとの間の通信を容易にする。
【００４５】
通信モジュール１２８は、１つ以上の外部ポート１２４を経て他の装置との通信を容易にし、又、ＲＦ回路１０８及び／又は外部ポート１２４により受け取られたデータを取り扱うための種々のソフトウェアコンポーネントも備えている。外部ポート１２４（例えば、ユニバーサルシリアルバス（ＵＳＢ）、ファイアワイヤ(FIREWIRE)、等）は、他の装置へ直結するか、又はネットワーク（例えば、インターネット、ワイヤレスＬＡＮ、等）を経て間接的に結合するようにされる。ある実施形態では、外部ポートは、ｉＰｏｄ（アップルコンピュータ社の商標）装置に使用される３０ピンコネクタと同じであるか又は同様であるか及び／又はそれに適合できるマルチピン（例えば、３０ピン）コネクタである。
【００４６】
接触／運動モジュール１３０は、タッチスクリーン１１２（ディスプレイコントローラ１５６に関連した）及び他のタッチ感知装置（例えば、タッチパッド又は物理的なクリックホイール）との接触を検出することができる。接触／運動モジュール１３０は、接触の検出に関連した種々の動作、例えば、接触が生じたかどうか決定し、接触の移動があるかどうか決定すると共にタッチスクリーン１１２にわたって移動を追跡し、及び接触が遮断したかどうか（即ち、接触が止んだかどうか）決定する、等の動作を遂行するための種々のソフトウェアコンポーネントを備えている。接触点の移動を決定することは、接触点のスピード（大きさ）、速度（大きさ及び方向）、及び／又は加速度（大きさ及び／又は方向の変化）を決定することを含む。これらの動作は、単一の接触（例えば、１本の指の接触）又は複数の同時接触（例えば、「マルチタッチ」／複数本の指の接触）に適用することができる。ある実施形態では、接触／運動モジュール１３０及びディスプレイコントローラ１５６は、タッチパッド上の接触も検出する。ある実施形態では、接触／運動モジュール１３０及びコントローラ１６０は、クリックホイール上の接触を検出する。
【００４７】
グラフィックモジュール１３２は、表示されるグラフィックの強度を変化させるコンポーネントを含めて、タッチスクリーン１１２上にグラフィックをレンダリングし表示するための種々の既知のソフトウェアコンポーネントを備えている。ここで使用する「グラフィック」という語は、これに限定されないが、テキスト、ウェブページ、アイコン（ソフトキーを含むユーザインターフェイスオブジェクトのような）、デジタル映像、ビデオ、アニメーション、等を含めて、ユーザに表示できるいかなるオブジェクトも含む。
【００４８】
グラフィックモジュール１３２のコンポーネントでよいテキスト入力モジュール１３４は、種々のアプリケーション（例えば、連絡先１３７、ｅ−メール１４０、ＩＭ１４１、ブログ１４２、ブラウザ１４７、及びテキスト入力を必要とする他のアプリケーション）にテキストを入力するためのソフトキーボードを与える。
【００４９】
ＧＰＳモジュール１３５は、装置の位置を決定し、そしてこの情報を種々のアプリケーションに使用するべく与える（例えば、位置に基づくダイヤル動作に使用するために電話１３８へ、ピクチャー／ビデオメタデータとしてカメラ１４３及び／又はブロガー１４２へ、そして天気ウィジェット、地方のイエローページウィジェット及びマップ／ナビゲーションウィジェットのような位置に基づくサービスを提供するアプリケーションへ）。
【００５０】
アプリケーション１３６は、次のモジュール（又はインストラクションのセット）或いはそのサブセット又はスーパーセットを含むことができる。
●連絡先モジュール１３７（時々アドレス帳又は連絡先リストとも称される）、
●電話モジュール１３８、
●ビデオ会議モジュール１３９、
●ｅ−メールクライアントモジュール１４０、
●インスタントメッセージング（ＩＭ）モジュール１４１、
●ブログモジュール１４２、
●静止映像及び／又はビデオ映像のためのカメラモジュール１４３、
●映像管理モジュール１４４、
●ビデオプレーヤモジュール１４５、
●音楽プレーヤモジュール１４６、
●ブラウザモジュール１４７、
●カレンダーモジュール１４８、
●天気ウィジェット１４９−１、株ウィジェット１４９−２、計算器ウィジェット１４９−３、アラームクロックウィジェット１４９−４、辞書ウィジェット１４９−５、及びユーザにより得られる他のウィジェット、並びにユーザ生成ウィジェット１４９−６を含むことのできるウィジェットモジュール１４９、
●ユーザ生成ウィジェット１４９−６を形成するためのウィジェットクリエータモジュール１５０、
●サーチモジュール１５１、
●ビデオプレーヤモジュール１４５及び音楽プレーヤモジュール１４６を合併するビデオ及び音楽プレーヤモジュール１５２、
●ノートモジュール１５３、及び／又は
●マップモジュール１５４。
【００５１】
メモリ１０２に記憶できる他のアプリケーション１３６は、例えば、他のワード処理アプリケーション、ＪＡＶＡイネーブルアプリケーション、暗号化、デジタル権利の管理、音声認識、及び音声複製を含む。
【００５２】
タッチスクリーン１１２、ディスプレイコントローラ１５６、接触モジュール１３０、グラフィックモジュール１３２、及びテキスト入力モジュール１３４に関連して、連絡先モジュール１３７は、アドレス帳又は連絡先リストを管理するのに使用でき、これは、アドレス帳に名前（１つ又は複数）を追加し、アドレス帳から名前（１つ又は複数）を削除し、電話番号（１つ又は複数）、ｅ−メールアドレス（１つ又は複数）、物理的アドレス（１つ又は複数）又は他の情報を名前と関連付け、映像を名前と関連付け、名前を類別及び分類し、電話１３８、ビデオ会議１３９、ｅ−メール１４０、又はＩＭ１４１による通信を開始及び／又は容易にするために電話番号又はｅ−メールアドレスを与え、等々を行うことを含む。
【００５３】
ＲＦ回路１０８、オーディオ回路１１０、スピーカ１１１、マイクロホン１１３、タッチスクリーン１１２、ディスプレイコントローラ１５６、接触モジュール１３０、グラフィックモジュール１３２、及びテキスト入力モジュール１３４に関連して、電話モジュール１３８は、電話番号に対応するキャラクタのシーケンスを入力し、アドレス帳１３７における１つ以上の電話番号にアクセスし、入力された電話番号を変更し、各電話番号をダイヤルし、会話を行い、そして会話が終了したときに切断又は切るために使用することができる。上述したように、ワイヤレス通信は、複数の通信規格、プロトコル及び技術のいずれかを使用することができる。
【００５４】
ＲＦ回路１０８、オーディオ回路１１０、スピーカ１１１、マイクロホン１１３、タッチスクリーン１１２、ディスプレイコントローラ１５６、光学的センサ１６４、光学的センサコントローラ１５８、接触モジュール１３０、グラフィックモジュール１３２、テキスト入力モジュール１３４、連絡先リスト１３７、及び電話モジュール１３８に関連して、ビデオ会議モジュール１３９は、ユーザと１人以上の他の参加者との間でビデオ会議を開始し、実行し、そして終了するために使用することができる。
【００５５】
ＲＦ回路１０８、タッチスクリーン１１２、ディスプレイコントローラ１５６、接触モジュール１３０、グラフィックモジュール１３２、及びテキスト入力モジュール１３４に関連して、ｅ−メールクライアントモジュール１４０は、ｅ−メールを生成し、送信し、受信し、そして管理するために使用することができる。映像管理モジュール１４４に関連して、ｅ−メールモジュール１４０は、カメラモジュール１４３で撮影された静止映像又はビデオ映像と共にｅ−メールを生成し送信するのを非常に容易にする。
【００５６】
ＲＦ回路１０８、タッチスクリーン１１２、ディスプレイコントローラ１５６、接触モジュール１３０、グラフィックモジュール１３２、及びテキスト入力モジュール１３４に関連して、インスタントメッセージングモジュール１４１は、インスタントメッセージに対応するキャラクタのシーケンスを入力し、既に入力されたキャラクタを変更し、各インスタントメッセージを送信し（例えば、電話ベースのインスタントメッセージについてはショートメッセージサービス（ＳＭＳ）又はマルチメディアメッセージサービス（ＭＭＳ）プロトコルを使用し、或いはインターネットベースのインスタントメッセージについてはＸＭＰＰ、ＳＩＭＰＬＥ又はＩＭＰＳを使用して）、インスタントメッセージを受信し、そして受信したインスタントメッセージを見るために使用することができる。ある実施形態では、送信及び／又は受信されるインスタントメッセージは、ＭＭＳ及び／又はエンハンストメッセージングサービス（ＥＭＳ）でサポートされるグラフィック、写真、オーディオファイル、ビデオファイル及び／又は他のアタッチメントを含むことができる。ここで使用する「インスタントメッセージング」という語は、電話ベースのメッセージ（例えば、ＳＭＳ又はＭＭＳを使用して送信されるメッセージ）、及びインターネットベースのメッセージ（例えば、ＸＭＰＰ、ＳＩＭＰＬＥ、又はＩＭＰＳを使用して送信されるメッセージ）の両方を指す。
【００５７】
ＲＦ回路１０８、タッチスクリーン１１２、ディスプレイコントローラ１５６、接触モジュール１３０、グラフィックモジュール１３２、テキスト入力モジュール１３４、映像管理モジュール１４４、及びブラウジングモジュール１４７に関連して、ブログモジュール１４２は、テキスト、静止映像、ビデオ、及び／又は他のグラフィックをブログ（例えば、ユーザブログ）へ送信するために使用することができる。
【００５８】
タッチスクリーン１１２、ディスプレイコントローラ１５６、光学的センサ（１つ又は複数）１６４、光学的センサコントローラ１５８、接触モジュール１３０、グラフィックモジュール１３２、及び映像管理モジュール１４４に関連して、カメラモジュール１４３は、静止映像又はビデオ（ビデオストリームを含む）を捕獲してそれらをメモリ１０２へ記憶し、静止映像又はビデオの特性を変更し、或いは静止映像又はビデオをメモリ１０２から削除するために使用することができる。
【００５９】
タッチスクリーン１１２、ディスプレイコントローラ１５６、接触モジュール１３０、グラフィックモジュール１３２、テキスト入力モジュール１３４、及びカメラモジュール１４３に関連して、映像管理モジュール１４４は、静止映像及び／又はビデオ映像をアレンジし、変更し、さもなければ、操作し、ラベル付けし、削除し、プレゼンテーションし（例えば、デジタルスライドショー又はアルバムに）、そして記憶するために使用することができる。
【００６０】
タッチスクリーン１１２、ディスプレイコントローラ１５６、接触モジュール１３０、グラフィックモジュール１３２、オーディオ回路１１０、及びスピーカ１１１に関連して、ビデオプレーヤモジュール１４５は、ビデオを表示し、プレゼンテーションし、さもなければ、再生するために使用することができる（例えば、タッチスクリーンにおいて、又は外部ポート１２４を経て接続された外部のディスプレイにおいて）。
【００６１】
タッチスクリーン１１２、ディスプレイシステムコントローラ１５６、接触モジュール１３０、グラフィックモジュール１３２、オーディオ回路１１０、スピーカ１１１、ＲＦ回路１０８、及びブラウザモジュール１４７に関連して、音楽プレーヤモジュール１４６は、ユーザが、録音された音楽や、ＭＰ３又はＡＡＣファイルのような１つ以上のファイルフォーマットで記憶された他のサウンドファイルをダウンロードして再生できるようにする。ある実施形態では、装置１００は、ｉＰｏｄ（アップルコンピュータ社の商標）のようなＭＰ３プレーヤのファンクションを含むことができる。
【００６２】
ＲＦ回路１０８、タッチスクリーン１１２、ディスプレイシステムコントローラ１５６、接触モジュール１３０、グラフィックモジュール１３２、及びテキスト入力モジュール１３４に関連して、ブラウザモジュール１４７は、ウェブページ又はその一部分、並びにウェブページにリンクされたアタッチメント及び他のファイルをサーチし、リンクし、受信し、及び表示することを含めて、インターネットをブラウズするために使用することができる。ブラウザモジュール１４７を使用するユーザインターフェイス及び関連プロセスの実施形態を、以下で詳細に説明する。
【００６３】
ＲＦ回路１０８、タッチスクリーン１１２、ディスプレイシステムコントローラ１５６、接触モジュール１３０、グラフィックモジュール１３２、テキスト入力モジュール１３４、ｅ−メールモジュール１４０、及びブラウザモジュール１４７に関連して、カレンダーモジュール１４８は、カレンダー及びカレンダーに関連したデータ（例えば、カレンダー入力、ツー・ドゥ（実行すべきものの）リスト、等）を生成し、表示し、変更し、そして記憶するために使用することができる。
【００６４】
ＲＦ回路１０８、タッチスクリーン１１２、ディスプレイシステムコントローラ１５６、接触モジュール１３０、グラフィックモジュール１３２、テキスト入力モジュール１３４、及びブラウザモジュール１４７に関連して、ウィジェットモジュール１４９は、ユーザによりダウンロードして使用できるミニアプリケーション（例えば、天気ウィジェット１４９−１、株ウィジェット１４９−２、計算器ウィジェット１４９−３、アラームクロックウィジェット１４９−４、及び辞書ウィジェット１４９−５）、又はユーザにより生成されるミニアプリケーション（例えば、ユーザ生成ウィジェット１４９−６）である。ある実施形態では、ウィジェットは、ＨＴＭＬ（ハイパーテキストマークアップ言語）ファイル、ＣＳＳ（カスケードスタイルシート）ファイル、及びＪａｖａＳｃｒｉｐｔファイルを含む。ある実施形態では、ウィジェットは、ＸＭＬ（拡張性マークアップ言語）ファイル、及びＪａｖａＳｃｒｉｐｔファイル（例えば、Ｙａｈｏｏ！ウィジェット）を含む。
【００６５】
ＲＦ回路１０８、タッチスクリーン１１２、ディスプレイシステムコントローラ１５６、接触モジュール１３０、グラフィックモジュール１３２、テキスト入力モジュール１３４、及びブラウザモジュール１４７に関連して、ウィジェットクリエータモジュール１５０は、ウィジェットを生成するためにユーザにより使用することができる（例えば、ウェブページのユーザ指定部分をウィジェットへ向ける）。
【００６６】
タッチスクリーン１１２、ディスプレイシステムコントローラ１５６、接触モジュール１３０、グラフィックモジュール１３２、及びテキスト入力モジュール１３４に関連して、サーチモジュール１５１は、１つ以上のサーチ基準（例えば、１つ以上のユーザ指定サーチ用語）に一致するテキスト、音楽、サウンド、映像、ビデオ、及び／又は他のファイルをメモリ１０２においてサーチするために使用することができる。
【００６７】
タッチスクリーン１１２、ディスプレイシステムコントローラ１５６、接触モジュール１３０、グラフィックモジュール１３２、及びテキスト入力モジュール１３４に関連して、ノートモジュール１５３は、ノート、ツー・ドゥリスト、等を生成して管理するために使用することができる。
【００６８】
ＲＦ回路１０８、タッチスクリーン１１２、ディスプレイシステムコントローラ１５６、接触モジュール１３０、グラフィックモジュール１３２、テキスト入力モジュール１３４、ＧＰＳモジュール１３５、及びブラウザモジュール１４７に関連して、マップモジュール１５４は、マップ及びマップに関連したデータ（例えば、運転方向、特定の位置又はその付近の店舗及びその他交差点に関するデータ、並びに位置に基づく他のデータ）を受け取り、表示し、変更し、そして記憶するために使用することができる。
【００６９】
上述したモジュール及びアプリケーションの各々は、上述した１つ以上のファンクションを遂行するためのインストラクションのセットに対応している。これらのモジュール（即ち、インストラクションのセット）は、個別のソフトウェアプログラム、手順又はモジュールとして実施される必要はなく、従って、種々の実施形態では、これらモジュールの種々のサブセットを組み合わせるか、さもなければ、アレンジし直すことができる。例えば、ビデオプレーヤモジュール１４５は、音楽プレーヤモジュール１４６と組み合わせ、単一のモジュール（例えば、ビデオ及び音楽プレーヤモジュール１５２、図１Ｂ）とすることができる。ある実施形態では、メモリ１０２は、上述したモジュール及びデータ構造体のサブセットを記憶することができる。更に、メモリ１０２は、上述されない付加的なモジュール及びデータ構造体を記憶することもできる。
【００７０】
ある実施形態では、装置１００は、装置におけるファンクションの規定セットの動作がタッチスクリーン１１２及び／又はタッチパッドを通して排他的に実行される装置である。タッチスクリーン及び／又はタッチパッドを、装置１００を動作するための一次入力／制御装置として使用することにより、装置１００における物理的入力／制御装置（プッシュボタン、ダイヤル、等）の数を減少することができる。
【００７１】
タッチスクリーン及び／又はタッチパッドを通して排他的に遂行できるファンクションの規定のセットは、ユーザインターフェイス間のナビゲーションを含む。ある実施形態では、タッチパッドは、ユーザがタッチすると、装置１００を、装置１００上に表示できるユーザインターフェイスからのメイン、ホーム又はルートメニューへとナビゲートする。このような実施形態では、タッチパッドは、「メニューボタン」と称することができる。他の実施形態では、メニューボタンは、タッチパッドに代わって、物理的なプッシュボタン又は他の物理的な入力／制御装置でもよい。
【００７２】
図２は、ある実施形態に基づくタッチスクリーン１１２を有するポータブルマルチファンクション装置１００を示す図である。タッチスクリーンは、ユーザインターフェイス（ＵＩ）２００内に１つ以上のグラフィックを表示することができる。この実施形態、及び以下に述べる他の実施形態では、ユーザは、例えば、１本以上の指２０２（図中には正しいスケールで描かれていない）でグラフィックに接触又はタッチすることにより１つ以上のグラフィックを選択することができる。ある実施形態では、ユーザが１つ以上のグラフィックとの接触を遮断したときに１つ以上のグラフィックの選択が生じる。ある実施形態では、接触は、１回以上タップ(tap)すること、１回以上スワイプ(swipe)すること（左から右へ、右から左へ、上方及び／又は下方へ）、及び／又は装置１００と接触させた指をローリング(rolling)すること（左から右へ、右から左へ、上方及び／又は下方へ）、等のジェスチャーを含むことができる。ある実施形態では、グラフィックとの偶発的な接触でグラフィックが選択されることはない。例えば、アプリケーションアイコン上を拭うスワイプジェスチャーは、選択に対応するジェスチャーがタップであるときには、対応するアプリケーションを選択することができない。
【００７３】
又、装置１００は、「ホーム(home)」又はメニューボタン２０４のような１つ以上の物理的ボタンを含むこともできる。上述したように、メニューボタン２０４は、装置１００において実行できるアプリケーションセット内の任意のアプリケーション１３６へナビゲートするのに使用できる。或いは又、ある実施形態では、メニューボタンは、タッチスクリーン１１２のＧＵＩにおけるソフトキーとして実施される。
【００７４】
一実施形態では、装置１００は、タッチスクリーン１１２と、メニューボタン２０４と、装置を電源オン／オフすると共に装置をロックするためのプッシュボタン２０６と、音量調整ボタン（１つ又は複数）２０８と、加入者アイデンティティモジュール（ＳＩＭ）カードスロット２１０と、ヘッドセットジャック２１２と、ドッキング／充電外部ポート１２４とを備えている。プッシュボタン２０６は、このボタンを押して規定の時間インターバル中このボタンを押圧状態に保持することにより装置の電源をオン／オフにし、このボタンを押して規定の時間インターバルが経過する前にこのボタンを解除することにより装置をロックし、及び／又は装置をアンロックするか又はアンロックプロセスを開始するために、使用することができる。別の実施形態では、装置１００は、マイクロホン１１３を通して幾つかのファンクションをアクチベート又はデアクチベートするために言葉による入力も受け容れることができる。
【００７５】
ポータブルマルチファンクション装置１００において実施できるユーザインターフェイス（ＵＩ）及び関連プロセスの実施形態について以下に説明する。
【００７６】
図３は、ある実施形態に基づきポータブル電子装置をアンロックするためのユーザインターフェイスを例示する図である。ある実施形態では、ユーザインターフェイス３００は、次のエレメント、或いはそのサブセット又はスーパーセットを含む。
●装置をアンロックするための指ジェスチャーで移動されるアンロック映像３０２、
●アンロックジェスチャーに対して視覚キューを与える矢印３０４、
●アンロックジェスチャーに対して付加的なキューを与えるチャンネル３０６、
●時刻３０８、
●曜日３１０、
●日付３１２、及び
●壁紙映像３１４。
【００７７】
ある実施形態では、この装置は、それがユーザインターフェイスロック状態にある間にタッチ感知ディスプレイとの接触（例えば、ユーザの指がアンロック映像３０２又はその付近に接触する）を検出する。装置は、この接触に基づいてアンロック映像３０２を移動する。装置は、検出された接触が、チャンネル３０６を横切ってアンロック映像を移動するような規定のジェスチャーに対応する場合は、ユーザインターフェイスアンロック状態へと移行する。逆に、検出された接触が規定のジェスチャーに対応しない場合は、ユーザインターフェイスロック状態を維持する。上述したように、タッチスクリーン上でのジェスチャーを使用して装置をアンロックするためのプロセスは、参考としてここに援用する２００５年１２月２３日に出願された“Unlocking A Device By Performing Gestures On An Unlock Image”と題する米国特許出願第１１／３２２，５４９号、及び２００５年１２月２３日に出願された“Indication Of Progress Towards Satisfaction Of A User Input Condition”と題する第１１／３２２，５５０号に説明されている。
【００７８】
図４Ａ及び４Ｂは、ある実施形態に基づくポータブルマルチファンクション装置におけるアプリケーションのメニューのためのユーザインターフェイスを示す図である。ある実施形態では、ユーザインターフェイス４００Ａは、次のエレメント或いはそのサブセット又はスーパーセットを含む。
●セルラー及びＷｉ−Ｆｉ信号のようなワイヤレス通信（１つ又は複数）のための信号強度インジケータ（１つ又は複数）４０２、
●時刻４０４、
●バッテリ状態インジケータ４０６、
●次のうちの１つ以上のような頻繁に使用されるアプリケーションに対するアイコンを伴うトレー４０８、
○逃したコール又はボイスメールメッセージの数のインジケータ４１４を含んでもよい電話１３８、
○読まれないｅ−メールの数のインジケータ４１０を含んでもよいｅ−メールクライアント１４０、
○ブラウザ１４７、
○音楽プレーヤ１４６、及び
●次のうちの１つ以上のような他のアプリケーションに対するアイコン、
○ＩＭ１４１、
○映像管理１４４、
○カメラ１４３、
○ビデオプレーヤ１４５、
○天気１４９−１、
○株１４９−２、
○ブログ１４２、
○カレンダー１４８、
○計算器１４９−３、
○アラームクロック１４９−４、
○辞書１４９−５、及び
○ユーザ生成ウィジェット１４９−６。
【００７９】
ある実施形態では、ユーザインターフェイス４００Ｂは、次のエレメント或いはそのサブセット又はスーパーセットを含む。
●上述した４０２、４０４、４０６、１４１、１４８、１４４、１４３、１４９−３、１４９−２、１４９−１、１４９−４、４１０、４１４、１３８、１４０、及び１４７、
●マップ１５４、
●ノート１５３、
●以下に詳細に述べるように装置１００の設定及びその種々のアプリケーション１３６へのアクセスを与える設定４１２、
●ｉＰｏｄ（アップルコンピュータ社の商標）モジュール１５２とも称されるビデオ及び音楽プレーヤモジュール１５２。
【００８０】
ある実施形態では、ＵＩ４００Ａ又は４００Ｂは、全ての利用可能なアプリケーション１３６を１つのスクリーン上に表示し、アプリケーションのリストを（例えば、スクロールバーにより）スクロールする必要がないようにする。ある実施形態では、アプリケーションの数が増加するにつれて、アプリケーションに対応するアイコンのサイズを減少させて、全てのアプリケーションを、スクロールせずに、単一のスクリーン上に表示できるようにする。ある実施形態では、１つのスクリーン上に全てのアプリケーションをもたせると共に、メニューボタンをもたせることで、ユーザは、（例えば、アプリケーションに対応するアイコンをタップするか又は他の指ジェスチャーにより）メニューボタン２０４をアクチベートし、次いで、希望のアプリケーションをアクチベートするというせいぜい２つの入力で、希望のアプリケーションにアクセスすることができる。
【００８１】
図５Ａ−５Ｍは、ある実施形態に基づくブラウザのためのユーザインターフェイスを例示する図である。
【００８２】
ある実施形態では、ユーザインターフェイス３９００Ａ−３９００Ｍ（図５Ａ−５Ｍ）は、次のエレメント或いはそのサブセット又はそのスーパーセットを含む。
●上述した４０２、４０４、及び４０６、
●アクチベートされたときに（例えば、アイコンを指でタップすることにより）、手前のウェブページの表示を開始する手前のページのアイコン３９０２、
●ウェブページ名３９０４、
●アクチベートされたときに（例えば、アイコンを指でタップすることにより）、次のウェブページの表示を開始する次のページのアイコン３９０６、
●ウェブページのＵＲＬを入力するためのＵＲＬ（ユニフォームリソースロケーター）エントリーボックス３９０８、
●アクチベートされたときに（例えば、アイコンを指でタップすることにより）、ウェブページのリフレッシュを開始するリフレッシュアイコン３９１０、
●テキストコンテンツ及び他のグラフィック（例えば、映像及びインラインマルチメディア）のブロック３９１４で形成されたウェブページ３９１２又は他の構造化ドキュメント、
●アクチベートされたときに（例えば、アイコンを指でタップすることにより）、ブラウザに対する設定メニューの表示を開始する設定アイコン３９１６、
●アクチベートされたときに（例えば、アイコンを指でタップすることにより）、ブラウザに対するブックマークリスト又はメニューの表示を開始するブックマークアイコン３９１８、
●アクチベートされたときに（例えば、アイコンを指でタップすることにより）、ブックマークを追加するＵＩ（例えば、他のＵＩ及びページと同様に、肖像又は風景ビューに表示できるＵＩ３９００Ｆ、図５Ｆ）の表示を開始するブックマーク追加アイコン３９２０、
●アクチベートされたときに（例えば、アイコンを指でタップすることにより）、新たなウインドウをブラウザに追加するＵＩ（例えば、ＵＩ３９００Ｇ、図５Ｇ）の表示を開始する新たなウインドウのアイコン３９２２、
●ウェブページ３９１２又は他の構造化ドキュメントのどの部分が表示されているかユーザが理解する上で助けとなる、ウェブページ３９１２又は他の構造化ドキュメントのための垂直バー３９６２（図５Ｈ）、
●ウェブページ３９１２又は他の構造化ドキュメントのどの部分が表示されているかユーザが理解する上で助けとなる、ウェブページ３９１２又は他の構造化ドキュメントのための水平バー３９６４（図５Ｈ）、
●アクチベートされたときに（例えば、アイコンを指でタップすることにより）、他のユーザと情報を共有するためのＵＩ（例えば、ＵＩ３９００Ｋ、図５Ｋ）の表示を開始する共有アイコン３９６６、
●アクチベートされたときに（例えば、アイコンを指でタップすることにより）ＵＲＬエントリーボックス３９０８の入力をクリアするＵＲＬクリアアイコン３９７０（図５Ｉ）、
●ウェブサーチ用のサーチ用語を入力するサーチ用語エントリーボックス３９７２（図５Ｉ）、
●ＵＲＬエントリーボックス３９０８（図５Ｉ）の入力に一致するＵＲＬを表示するものであって、示唆されたＵＲＬをアクチベートすると（例えば、示唆されたＵＲＬを指でタップすることにより）、対応するウェブページの検索を開始するようなＵＲＬ示唆リスト３９７４、
●ピリオドキー３９８、バックスラッシュキー３９８０、及び“．com”キー３９８２を伴い、ＵＲＬへの普通のキャラクタの入力を容易にするＵＲＬ入力キーボード３９７６（図５Ｉ及び５Ｍ）、
●アクチベートされたときに（例えば、アイコンを指でタップすることにより）、サーチ用語エントリーボックス３９７２における入力をクリアするサーチ用語クリアアイコン３９８４、
●アクチベートされたときに（例えば、アイコンを指でタップするか又は他のジェスチャーにより）、１人以上の他のユーザと共有されるべきリンクを含むｅ−メールを準備するｅ−メールリンクアイコン３９８６（図５Ｋ）、
●アクチベートされたときに（例えば、アイコンを指でタップするか又は他のジェスチャーにより）、１人以上の他のユーザと共有されるべきコンテンツを含むｅ−メールを準備するｅ−メールコンテンツアイコン３９８８（図５Ｋ）、
●アクチベートされたときに（例えば、アイコンを指でタップするか又は他のジェスチャーにより）、１人以上の他のユーザと共有されるべきリンクを含むＩＭを準備するＩＭリンクアイコン３９９０（図５Ｋ）、及び
●アクチベートされたときに（例えば、アイコンを指でタップするか又は他のジェスチャーにより）、共有ＵＩ（例えば、ＵＩ３９００Ｋ、図５Ｋ）をキャンセルし、手前のＵＩを表示するキャンセルアイコン３９９２（図５Ｋ）。
【００８３】
ある実施形態では、ブロック３９１４におけるユーザによる規定のジェスチャー（例えば、単一タップジェスチャー又は二重タップジェスチャー）に応答して、ブロックがウェブページディスプレイにおいて拡大されセンタリング（又は実質的にセンタリング）される。例えば、ブロック３９１４−５における単一タップジェスチャー３９２３に応答して、ブロック３９１４−５は、図５ＣのＵＩ３９００Ｃに示すように、ディスプレイにおいて拡大されセンタリングされる。ある実施形態では、タッチスクリーンディスプレイをいっぱいにするようにブロックの巾がスケーリングされる。ある実施形態では、ディスプレイの側部に沿って規定量のパッドを入れてタッチスクリーンディスプレイをいっぱいにするようにブロックの巾がスケーリングされる。ある実施形態では、ブロックの拡大中にブロックのズームアニメーションが表示される。同様に、ブロック３９１４−２における単一タップジェスチャー３８２５に応答して、ブロック３９１４−２をズームアニメーションで拡大し、そしてディスプレイの中心へ二次元的にスクロールすることができる（図示せず）。
【００８４】
ある実施形態では、装置は、ウェブページ３９１２のレンダーツリーを分析してウェブページにおけるブロック３９１４を決定する。ある実施形態では、ブロック３９１４は、置き換えインライン、ブロック、インラインブロック又はインラインテーブルであるレンダーノードに対応する。
【００８５】
ある実施形態では、既に拡大されてセンタリングされたブロック３９１４におけるユーザによる同じ規定のジェスチャー（例えば、単一タップジェスチャー又は二重タップジェスチャー）に応答して、拡大及び／又はセンタリングが実質的に又は完全に逆転される。例えば、ブロック３９１４−５における単一タップジェスチャー３９２９（図５Ｃ）に応答して、ウェブページ映像をズームアウトし、図５ＡのＵＩ３９００Ａへ戻ることができる。
【００８６】
ある実施形態では、既に拡大されたがセンタリングされていないブロック３９１４におけるユーザによる規定のジェスチャー（例えば、単一タップジェスチャー又は二重タップジェスチャー）に応答して、ブロックがウェブページディスプレイにおいてセンタリング（又は実質的にセンタリング）される。例えば、ブロック３９１４−４における単一タップジェスチャー３９２７（図５Ｃ）に応答して、ブロック３９１４−４は、ウェブページディスプレイにおいてセンタリング（又は実質的にセンタリング）することができる。同様に、ブロック３９１４−６における単一タップジェスチャー３９３５（図５Ｃ）に応答して、ブロック３９１４−６は、ウェブページディスプレイにおいてセンタリング（又は実質的にセンタリング）することができる。従って、既に拡大されたウェブページディスプレイの場合に、規定のジェスチャーに応答して、装置は、ユーザが見たい一連のブロックを直感的に表示することができる。この同じジェスチャーは、異なる状況において異なるアクションを開始することができる（例えば、（１）ウェブページのサイズが減少されたときはスクロールと組み合わせてズーミング及び／又は拡大を行い、ＵＩ３９００Ａ、そして（２）ブロックが既にセンタリングされ拡大された場合には拡大及び／又はセンタリングを逆転させる）。
【００８７】
ある実施形態では、ユーザによる複数タッチ３９３１及び３９３３の広げ(de-pinching)ジェスチャーに応答して（図５Ｃ）、ウェブページを拡大することができる。逆に、ユーザによる複数タッチの狭め(pinching)ジェスチャーに応答して、ウェブページを縮小することができる。
【００８８】
ある実施形態では、ユーザによる実質的に垂直方向上方（又は下方）のスワイプジェスチャーに応答して、ウェブページ（又は一般的に他の電子的ドキュメント）は、垂直方向に一次元的に上方（又は下方）にスクロールすることができる。例えば、完全な垂直から所定角度（例えば、２７°）以内であるユーザによる上方スワイプジェスチャー３９３７に応答して、ウェブページを垂直方向に一次元的に上方にスクロールすることができる。
【００８９】
逆に、ある実施形態では、完全な垂直から所定角度（例えば、２７°）以内にないスワイプジェスチャーに応答して、ウェブページを二次元的にスクロールすることができる（即ち、垂直及び水平の両方向に同時移動）。例えば、完全な垂直から所定角度（例えば、２７°）以内にないユーザによる上方スワイプジェスチャー３９３９（図５Ｃ）に応答して、ウェブページをスワイプ３９３９の方向に沿って二次元的にスクロールすることができる。
【００９０】
ある実施形態では、ユーザによる複数タッチ３９４１及び３９４３の回転ジェスチャー（図５Ｃ）に応答して、複数タッチ３９４１及び３９４３の回転ジェスチャーにおける回転の量が９０°とは実質的に異なる場合でも、ウェブページを風景ビューに対して厳密に９０°回転することができる（ＵＩ３９００Ｄ、図５Ｄ）。同様に、ユーザによる複数タッチ３９４５及び３９４７の回転ジェスチャー（ＵＩ３９００Ｄ、図５Ｄ）に応答して、複数タッチ３９４５及び３９４７の回転ジェスチャーにおける回転の量が９０°とは実質的に異なる場合でも、ウェブページを肖像ビューに対して厳密に９０°回転することができる。
【００９１】
従って、ユーザによる不正確なジェスチャーに応答して、グラフィックの正確な移動が生じる。装置は、ユーザによる入力が不正確でもユーザが希望するように振る舞う。又、ユーザがウェブブラウジングのためにどちらのビューを好むか選択できるように、肖像ビューを有するＵＩ３９００Ｃについて述べたジェスチャーを、風景ビューを伴うＵＩ（例えば、ＵＩ３９００Ｄ、図５Ｄ）にも適用できることに注意されたい。
【００９２】
図６Ａ−６Ｃは、ある実施形態に基づきタッチスクリーンディスプレイを伴うポータブル電子装置（例えば、装置１００）にウェブページのような構造化電子ドキュメントを表示するためのプロセス６０００を示すフローチャートである。ポータブル電子装置は、構造化電子ドキュメントの少なくとも一部分をタッチスクリーンディスプレイ上に表示する。構造化電子ドキュメントは、複数のコンテンツボックス（例えば、ブロック３９１４、図５Ａ）を含む（６００６）。
【００９３】
ある実施形態では、複数のボックスは、スタイルシート言語によって定義される。ある実施形態では、スタイルシート言語は、カスケード状のスタイルシート言語である。ある実施形態では、構造化電子ドキュメントは、ウェブページ（例えば、ウェブページ３９１２、図５Ａ）である。ある実施形態では、構造化電子ドキュメントは、ＨＴＭＬ又はＸＭＬ言語である。
【００９４】
ある実施形態では、構造化電子ドキュメントの少なくとも一部分を表示することは、ドキュメントの長さとは独立してタッチスクリーンディスプレイの巾内に適合するようにドキュメントの巾をスケーリングすることを含む（６００８）。
【００９５】
ある実施形態では、タッチスクリーンディスプレイは、短軸及び長軸（小軸及び大軸とも称される）を伴う長方形であり、構造化電子ドキュメントを肖像ビュー（例えば、図５Ｃ）で見るときには、ディスプレイの巾が短軸（小軸）に対応し、そして構造化電子ドキュメントを風景ビュー（例えば、図５Ｄ）で見るときには、ディスプレイの巾が長軸（又は大軸）に対応する。
【００９６】
ある実施形態では、構造化電子ドキュメントの少なくとも一部分を表示する前に、境界、余白及び／又はパディングが、複数のボックスに対して決定され（６００２）、そしてタッチスクリーンディスプレイ上に表示するように調整される（６００４）。ある実施形態では、複数のボックスの全ボックスが調整される。ある実施形態では、第１のボックスだけが調整される。ある実施形態では、第１のボックスと、第１のボックスに隣接するボックスだけが調整される。
【００９７】
構造化電子ドキュメントの表示された部分上の位置において第１のジェスチャーが検出される（例えば、ジェスチャー３９２３、図５Ａ）（６０１０）。ある実施形態では、第１のジェスチャーは、指ジェスチャーである。ある実施形態では、第１のジェスチャーは、スタイラスのジェスチャーである。
【００９８】
ある実施形態では、第１のジェスチャーは、タップジェスチャーである。ある実施形態では、第１のジェスチャーは、１本の指での二重タップ、２本の指での二重タップ、１本の指での単一タップ、又は２本の指での単一タップである。
【００９９】
複数のボックスのうちの第１ボックス（例えば、ブロック５  ３９１４−５、図５Ａ）が第１ジェスチャーの位置で決定される（６０１２）。ある実施形態では、構造化電子ドキュメントは、複数のノードを伴う関連レンダリングツリーを有し、そして第１のジェスチャーの位置で第１ボックスを決定することは、レンダリングツリーをダウン方向に進んで、第１のジェスチャーの検出位置に対応する複数のノードにおける第１ノードを決定し（６０１４）、第１ノードからコンテンツの論理的グループを含む最至近の親ノードまでレンダリングツリーをアップ方向に進み（６０１６）、そしてその最至近の親ノードに対応するコンテンツを第１ボックスとして識別する（６０１８）ことを含む。ある実施形態では、コンテンツの論理的グループは、パラグラフ、映像、プラグインオブジェクト、又はテーブルを含む。ある実施形態では、最至近の親ノードは、置き換えられるインライン、ブロック、インラインブロック、又はインラインテーブルである。
【０１００】
第１のボックスは、タッチスクリーンディスプレイ上で拡大され実質的にセンタリングされる（例えば、ブロック５  ３９１４−５、図５Ｃ）。ある実施形態では、拡大して実質的にセンタリングすることは、タッチスクリーンディスプレイ上で第１ボックスを同時にズームし且つ並進移動することを含む（６０２２）。ある実施形態では、拡大することは、第１ボックスの巾がタッチスクリーンディスプレイの巾と実質的に同じになるように第１ボックスを拡張することを含む（６０２４）。
【０１０１】
ある実施形態では、拡大された第１ボックス内のテキストは、タッチスクリーンディスプレイ上の所定の最小テキストサイズを満足するか又はそれを越えるようにサイズ変更される（６０２６）。ある実施形態では、テキストサイズ変更は、第１のボックスを拡大する倍率係数を決定し（６０２８）、タッチスクリーンディスプレイ上の所定の最小テキストサイズをこの倍率係数で除算して、第１ボックス内のテキストに対する最小テキストサイズを決定し（６０３０）、そして第１ボックス内のテキストに対するテキストサイズがその決定された最小テキストサイズより小さい場合には、第１ボックス内のテキストに対するテキストサイズを、少なくともその決定された最小テキストサイズまで増加する（６０３２）ことを含む。ある実施形態では、第１ボックスは、巾を有し、ディスプレイは、ディスプレイ巾を有し、そして倍率係数は、ディスプレイの巾を、拡大前の第１ボックスの巾で除算したものである。ある実施形態では、拡大中にサイズ変更が行われる。ある実施形態では、拡大後にサイズ変更が行われる。
【０１０２】
例えば、所定の最小テキストサイズが１８ポイントのフォントであり、そして倍率係数が２と決定されると仮定する。この場合、第１ボックス内のテキストに対する最小テキストサイズは、１８を２で除算し、即ち９となる。第１ボックス内のテキストが１０ポイントのフォントである場合は、そのテキストサイズは増加されない。というのは、１０は、最小９ポイントより大きいからである。倍率係数が適用されると、テキストが２０ポイントのフォントで表示され、これは、所定の最小テキストサイズである１８より大きい。しかしながら、第１ボックス内のテキストが８ポイントのフォントである場合には、倍率係数を適用すると、テキストが１６ポイントのフォントで表示され、これは、所定の最小テキストサイズである１８より小さい。それ故、８は９より小さいので、テキストサイズは、少なくとも９ポイントのフォントまで増加され、そして倍率係数の適用後に少なくとも１８ポイントのフォントで表示される。
【０１０３】
ある実施形態では、構造化電子ドキュメントにおけるテキストが、タッチスクリーンディスプレイ上の所定の最小テキストサイズを満足するか又はそれを越えるようにサイズ変更される（６０２６；図６Ｂ）。ある実施形態では、テキストサイズ変更は、第１のボックスを拡大する倍率係数を決定し（６０２８）、タッチスクリーンディスプレイ上の所定の最小テキストサイズをこの倍率係数で除算して、構造化電子ドキュメントにおけるテキストに対する最小テキストサイズを決定し（６０３０）、そして構造化電子ドキュメントにおけるテキストのテキストサイズがその決定された最小テキストサイズより小さい場合には、構造化電子ドキュメントにおけるテキストのテキストサイズを、少なくともその決定された最小テキストサイズまで増加する（６０３２）ことを含む。ある実施形態では、テキストサイズ変更は、複数のボックスにおいてテキストを含むボックスを識別し、第１ボックスを拡大する倍率係数を決定し、タッチスクリーンディスプレイ上の所定の最小テキストサイズをこの倍率係数で除算して、構造化電子ドキュメントにおけるテキストに対する最小テキストサイズを決定し、そしてテキストを含む各識別されたボックスに対して、その識別されたボックスにおけるテキストのテキストサイズがその決定された最小テキストサイズより小さい場合には、識別されたボックスにおけるテキストのテキストサイズを、少なくともその決定された最小テキストサイズまで増加し、そして識別されたボックスのサイズを、サイズ変更されたテキストを受け入れるように調整することを含む。
【０１０４】
ある実施形態では、拡大された第１ボックスにおいて第２のジェスチャー（例えば、ジェスチャー３９２９、図５Ｃ）が検出される（６０３４）。この第２のジェスチャーを検出するのに応答して、構造化電子ドキュメントの表示部分のサイズが減少される（６０３６）。ある実施形態では、第１ボックスは、拡大される前のサイズに復帰する（６０３８）。
【０１０５】
ある実施形態では、第２のジェスチャー及び第１のジェスチャーは、同じ形式のジェスチャーである。ある実施形態では、第２のジェスチャーは、指ジェスチャーである。ある実施形態では、第２のジェスチャーは、スタイラスジェスチャーである。
【０１０６】
ある実施形態では、第２のジェスチャーは、タップジェスチャーである。ある実施形態では、第２のジェスチャーは、１本の指での二重タップ、２本の指での二重タップ、１本の指での単一タップ、又は２本の指での単一タップである。
【０１０７】
ある実施形態では、第１のボックスが拡大される間に、第１のボックスではなく、第２のボックスにおいて第３のジェスチャー（例えば、ジェスチャー３９２７又はジェスチャー３９３５、図５Ｃ）が検出される（６０４０）。第３のジェスチャーを検出するのに応答して、第２のボックスがタッチスクリーンディスプレイ上で実質的にセンタリングされる（６０４２）。ある実施形態では、第３のジェスチャー及び第１のジェスチャーは、同じ形式のジェスチャーである。ある実施形態では、第３のジェスチャーは、指ジェスチャーである。ある実施形態では、第３のジェスチャーは、スタイラスジェスチャーである。
【０１０８】
ある実施形態では、第３のジェスチャーは、タップジェスチャーである。ある実施形態では、第３のジェスチャーは、１本の指での二重タップ、２本の指での二重タップ、１本の指での単一タップ、又は２本の指での単一タップである。
【０１０９】
ある実施形態では、タッチスクリーンディスプレイ上でスワイプジェスチャー（例えば、ジェスチャー３９３７又はジェスチャー３９３９、図５Ｃ）が検出される（６０４４、図６Ｃ）。スワイプジェスチャーを検出するのに応答して、構造化電子ドキュメントの表示部分がタッチスクリーンディスプレイ上で並進移動される（６０４６）。ある実施形態では、並進移動は、タッチスクリーンディスプレイ上で構造化電子ドキュメントを垂直、水平又は対角方向に移動することを含む（６０４８）。ある実施形態では、スワイプジェスチャーは、指ジェスチャーである。又、ある実施形態では、スワイプジェスチャーは、スタイラスジェスチャーである。
【０１１０】
ある実施形態では、タッチスクリーンディスプレイ上で第５のジェスチャー（例えば、複数タッチジェスチャー３９４１／３９４３、図５Ｃ）が検出される。第５のジェスチャーを検出するのに応答して、構造化電子ドキュメントの表示部分がタッチスクリーンディスプレイ上で９０°回転される（６０５２）。ある実施形態では、第５のジェスチャーは、指ジェスチャーである。ある実施形態では、第５のジェスチャーは、複数指ジェスチャーである。又、ある実施形態では、第５のジェスチャーは、ねじるジェスチャーである。
【０１１１】
ある実施形態では、装置の向きの変化が検出される（６０５４）。例えば、１つ以上の加速度計１６８（図１Ａ−１Ｂ）が、装置の向きの変化を検出する。装置の向きの変化を検出するのに応答して、構造化電子ドキュメントの表示部分がタッチスクリーンディスプレイ上で９０°回転される（６０５６）。
【０１１２】
ある実施形態では、複数指の広げジェスチャー（例えば、複数タッチジェスチャー３９３１／３９３３、図５Ｃ）がタッチスクリーンディスプレイ上で検出される（６０５８）。複数指の広げジェスチャーを検出するのに応答して、構造化電子ドキュメントの表示部分の一部分が、タッチスクリーンディスプレイ上で、複数指の広げジェスチャーの位置と、複数指の広げジェスチャーにおける指の移動量とに基づいて拡大される（６０６０）。
【０１１３】
上述したコンテンツ表示プロセス６０００は、見掛け上特定の順序で発生する多数のオペレーションを含むが、このプロセス６０００は、より多くの又はより少数のオペレーションを含んでもよく、それらオペレーションは、直列又は並列に実行することができ（例えば、並列プロセッサ又はマルチスレッド環境を使用して）、２つ以上のオペレーションの順序は、変更されてもよく、及び／又は２つ以上のオペレーションは、単一のオペレーションへ合成されてもよいことが明らかである。
【０１１４】
タッチスクリーンディスプレイを伴うポータブル電子装置のグラフィックユーザインターフェイス（例えば、ＵＩ３９００Ａ、図５Ａ）は、構造化電子ドキュメント（例えば、ウェブページ３９１２、図５Ａ）の少なくとも一部分を含む。構造化電子ドキュメントは、コンテンツの複数のボックス（例えば、ブロック３９１４、図５Ａ）を含む。構造化電子ドキュメントの一部分の位置において第１のジェスチャー（例えば、ジェスチャー３９２３、図５Ａ）を検出するのに応答して、その第１のジェスチャーの位置における複数のボックス内の第１ボックス（例えば、ブロック５  ３９１４−５、図５Ａ）が決定され、そして第１のボックスがタッチスクリーンディスプレイ上で拡大され実質的にセンタリングされる（例えば、ブロック５  ３９１５−５、図５Ｃ）。
【０１１５】
ある実施形態では、ＵＲＬエントリーボックス３９０８上でのタップ又は他の規定のユーザジェスチャーに応答して、タッチスクリーンは、拡大されたエントリーボックス３９２６及びキーボード６１６を表示する（例えば、肖像ビューではＵＩ３９００Ｂ、図５Ｂ、及び風景ビューではＵＩ３９００Ｅ、図５Ｅ）。又、ある実施形態では、タッチスクリーンは、次のものも表示する。
●アクチベートされたときに（例えば、アイコンを指でタップすることにより）、エントリーボックス３９２６内の全テキストの削除を開始するコンテクストクリアアイコン３９２８、
●アクチベートされたときに（例えば、アイコンを指でタップすることにより）、ボックス３９２６内のサーチ用語入力を使用してインターネットサーチを開始するサーチアイコン３９３０、及び
●アクチベートされたときに（例えば、アイコンを指でタップすることにより）、ボックス３９２６内のＵＲＬ入力でウェブページの取得を開始する「ＵＲＬへ進む(Go to URL)」アイコン３９３２。
【０１１６】
従って、サーチ用語及びＵＲＬの両方を入力するのに、同じエントリーボックス３９２６を使用することができる。ある実施形態では、クリアアイコン３９２８が表示されるかどうかは、コンテクストに依存する。
【０１１７】
ＵＩ３９００Ｇ（図５Ｇ）は、ブラウザ１４７のようなアプリケーションに新たなウインドウを追加するためのＵＩである。ＵＩ３９００は、アプリケーション（例えば、ブラウザ１４７）を表示し、これは、表示されたウインドウ（例えば、ウェブページ３９１２−２）と、少なくとも１つの隠されたウインドウ（例えば、ウェブページ３９１２−１及び３９３４−３、並びにおそらくスクリーンから完全に隠された他のウェブページ）とを含む。又、ＵＩ３９００Ｇは、アプリケーションにウインドウを追加するためのアイコンも表示する（例えば、新ウインドウ又は新ページアイコン３９３６）。ウインドウを追加するためのアイコン３９３６のアクチベーションを検出するのに応答して、ブラウザは、アプリケーションにウインドウを追加する（例えば、新ウェブページ３９１２に対する新ウインドウ）。
【０１１８】
タッチスクリーンディスプレイ上のジェスチャーを検出するのに応答して、アプリケーションにおける表示されたウインドウがディスプレイから外れるように移動されると共に、隠されたウインドウがディスプレイ中へと移動される。例えば、スクリーンの左側でタップジェスチャー３９４９を検出するのに応答して、ウェブページ３９１２−２を伴うウインドウがスクリーンを部分的に又は完全に外れるように右へ移動され、ウェブページ３９１２−３を伴うウインドウがスクリーンを完全に外れるように移動され、ウェブページ３９１２−１を伴う部分的に隠されたウインドウがディスプレイの中心へと移動され、そしてウェブページ（例えば、３９１２−０）を伴う別の完全に隠されたウインドウがディスプレイに部分的に入るように移動される。或いは、左から右へのスワイプジェスチャー３９５１の検出で同じ効果を達成することもできる。
【０１１９】
逆に、スクリーンの右側でタップジェスチャー３９５３を検出するのに応答して、ウェブページ３９１２−２を伴うウインドウがスクリーンを部分的に又は完全に外れるように左へ移動され、ウェブページ３９１２−１を伴うウインドウがスクリーンを完全に外れるように移動され、ウェブページ３９１２−３を伴う部分的に隠されたウインドウがディスプレイの中心へと移動され、そしてウェブページ（例えば、３９１２−４）を伴う別の完全に隠されたウインドウがディスプレイに部分的に入るように移動される。或いは、右から左へのスワイプジェスチャー３９５１の検出で同じ効果を達成することもできる。
【０１２０】
ある実施形態では、削除アイコン３９３４におけるタップ又は他の規定のジェスチャーに応答して、それに対応するウインドウ３９１２が削除される。ある実施形態では、終了(Done)アイコン３９３８におけるタップ又は他の規定のジェスチャーに応答して、ディスプレイの中心のウインドウ（例えば、３９１２−２）が、スクリーンいっぱいに拡大される。
【０１２１】
アプリケーションにウインドウを追加することについての更なる説明は、参考としてここに援用する２００７年１月５日に出願された“Method, System, And Graphical User Interface For Viewing Multiple Application Windows”と題する米国特許出願第１１／６２０，６４７号に見ることができる。
【０１２２】
図７Ａ−７Ｆは、ある実施形態に基づきインラインマルチメディアコンテンツのアイテムを再生するためのユーザインターフェイスを例示する図である。
【０１２３】
ある実施形態では、ユーザインターフェイス４０００Ａ−４０００Ｆ（図７Ａ−７Ｆ）は、次のエレメント或いはそのサブセット又はそのスーパーセットを含む。
●上述した４０２、４０４、４０６、３９０２、３９０６、３９１０、３９１２、３９１８、３９２０、３９２２、
●インラインマルチメディアコンテンツ４００２、例えば、クイックタイムコンテンツ（４００２−１）、ウインドウズメディアコンテンツ（４００２−２）、又はフラッシュコンテンツ（４００２−３）、
●構造化ドキュメントにおける他の形式のコンテンツ４００４、例えば、テキスト、
●アクチベートされたときに（例えば、アイコンを指でタップすることにより）、インラインマルチメディアコンテンツプレーヤＵＩ（例えば、ＵＩ４０００Ｂ又は４０００Ｆ）を出て別のＵＩ（例えば、ＵＩ４０００Ａ、図７Ａ）へ復帰することを開始する退出アイコン４００６、
●どれほど多くのインラインマルチメディアコンテンツ４００２が再生されたかを時間の単位で示す経過時間４００８、
●インラインマルチメディアコンテンツ４００２のどの断片が再生されたか指示すると共に、ユーザジェスチャーに応答してインラインマルチメディアコンテンツをスクロールするのを助けるように使用できる進行バー４０１０、
●どれほど多くのインラインマルチメディアコンテンツ４００２が再生されるべく残っているかを時間の単位で示す残り時間４０１２、
●インラインマルチメディアコンテンツ４００２が装置へダウンロード又はストリームされるときを指示するダウンロードアイコン４０１４、
●アクチベートされたときに（例えば、アイコンを指でタップすることにより）、インラインマルチメディアコンテンツ４００２を通して逆送り又は後方スキップするのを開始する速戻し／後方スキップアイコン４０１６、
●アクチベートされたときに（例えば、アイコンを指でタップ４０２６（図７Ｃ）することにより）、始めから、又はインラインマルチメディアコンテンツが休止されたところから、インラインマルチメディアコンテンツ４００２の再生を開始するプレイアイコン４０１８、
●インラインマルチメディアコンテンツ４００２を通して順送り又は前方スキップを開始する早送り／前方スキップアイコン４０２０、
●アクチベートされたときに（例えば、アイコンを指でタップすることにより）、インラインマルチメディアコンテンツ４００２の音量の調整を開始する音量調整スライダーアイコン４０２２、及び
●アクチベートされたときに（例えば、アイコンを指でタップすることにより）、インラインマルチメディアコンテンツ４００２の休止を開始する休止アイコン４０２４。
【０１２４】
図８は、ある実施形態に基づきタッチスクリーンディスプレイを伴うポータブル電子装置（例えば、装置１００）においてインラインマルチメディアコンテンツを表示するためのプロセス８０００を示すフローチャートである。ポータブル電子装置は、タッチスクリーンディスプレイに構造化電子ドキュメントの少なくとも一部分を表示する（８００２）。構造化電子ドキュメントは、コンテンツ（例えば、コンテンツ４００２及び４００４、図７Ａ）を含む。ある実施形態では、構造化電子ドキュメントは、ウェブページ（例えば、ウェブページ３９１２）である。ある実施形態では、構造化電子ドキュメントは、ＨＴＭＬ又はＸＭＬドキュメントである。
【０１２５】
第１のジェスチャー（例えば、４０２８、図７Ａ）は、構造化電子ドキュメントの表示部分においてインラインマルチメディアコンテンツ（例えば、コンテンツ４００２−１、図７Ａ）のアイテム上で検出される（８００４）。ある実施形態では、インラインマルチメディアコンテンツは、ビデオ及び／又はオーディオコンテンツを含む。又、ある実施形態では、コンテンツは、クイックタイム、ウインドウズメディア又はフラッシュプラグインで再生することができる。
【０１２６】
第１のジェスチャーを検出するのに応答して、インラインマルチメディアコンテンツのアイテムがタッチスクリーンディスプレイ上で拡大され、そしてインラインマルチメディアコンテンツの拡大されたアイテムに加えて構造化電子ドキュメントの他のコンテンツ（例えば、４００２−１、図７Ａに加えてコンテンツ４００４及び他のコンテンツ４００２）の表示が中止される（例えば、ＵＩ４０００Ｂ、図７Ｂ、又はＵＩ４０００Ｆ、図７Ｆ）（８００６）。
【０１２７】
ある実施形態では、インラインマルチメディアコンテンツのアイテムを拡大することは、そのアイテムに対するアニメ化されたズームインを含む。ある実施形態では、インラインマルチメディアコンテンツのアイテムを拡大することは、タッチスクリーンディスプレイ上でインラインマルチメディアコンテンツのアイテムを同時にズームし且つ並進移動することを含む。又、ある実施形態では、インラインマルチメディアコンテンツのアイテムを拡大することは、インラインマルチメディアコンテンツのアイテムを９０°回転することを含む（例えば、ＵＩ４０００Ａ、図７Ａから、ＵＩ４０００Ｂ、図７Ｂへ）。
【０１２８】
ある実施形態では、インラインマルチメディアコンテンツのアイテムは、フルサイズであり、タッチスクリーンディスプレイは、あるサイズであり、そしてインラインマルチメディアコンテンツのアイテムを拡大することは、インラインマルチメディアコンテンツのアイテムを、アイテムのフルサイズ及びタッチスクリーンディスプレイのサイズの小さい方へ拡大することを含む。
【０１２９】
ある実施形態では、インラインマルチメディアコンテンツのアイテムを拡大することは、インラインマルチメディアコンテンツのアイテムを拡張して、インラインマルチメディアコンテンツのアイテムの巾がタッチスクリーンディスプレイの巾と実質的に同じになるようにすることを含む（例えば、ＵＩ４０００Ｂ、図７Ｂ、又はＵＩ４０００Ｆ、図７Ｆ）。
【０１３０】
ある実施形態では、インラインマルチメディアコンテンツのアイテムに加えて構造化電子ドキュメントにおける他のコンテンツの表示を中止することは、インラインマルチメディアコンテンツのアイテムに加えて構造化電子ドキュメントにおける他のコンテンツをフェードアウトすることを含む。
【０１３１】
インラインマルチメディアコンテンツの拡大されたアイテムが表示される間に、タッチスクリーンディスプレイ上で第２のジェスチャーが検出される（例えば、４０３０、図７Ｂ）（８００８）。
【０１３２】
第２のジェスチャーを検出するのに応答して、インラインマルチメディアコンテンツの拡大されたアイテムを再生する１つ以上の再生コントロールが表示される（８０１０）。ある実施形態では、１つ以上の再生コントロールは、プレイアイコン（例えば、４０１８、図７Ｃ）、休止アイコン（例えば、アイコン４０２４、図７Ｅ）、音量アイコン（例えば、アイコン４０２２）、及び／又は再生進行バーアイコン（例えば、アイコン４０１０）を含む。
【０１３３】
ある実施形態では、１つ以上の再生コントロールを表示することは、インラインマルチメディアコンテンツの拡大されたアイテムの頂部に１つ以上の再生コントロールを表示することを含む（例えば、再生コントロール４０１６、４０１８、４０２０及び４０２２が図７Ｃの拡大されたインラインマルチメディアコンテンツ４００２−１の頂部にある）。又、ある実施形態では、１つ以上の再生コントロールがインラインマルチメディアコンテンツの拡大されたアイテムの頂部に重畳される。ある実施形態では、１つ以上の再生コントロールが半透明である。
【０１３４】
ある実施形態では、インラインマルチメディアコンテンツのアイテムの再生を自動的にスタートさせる構造化電子ドキュメント内のインストラクションが無効にされ、これは、再生を開始する前に、選択されたインラインマルチメディアコンテンツのより多くをダウンロードする時間を装置に与える。
【０１３５】
再生コントロールの１つにおいて第３のジェスチャーが検出される（図７Ｃのプレイアイコン４０１８におけるジェスチャー４０２６）（８０１２）。
【０１３６】
第３のジェスチャーを検出するのに応答して、インラインマルチメディアコンテンツの拡大されたアイテムが再生される（８０１４）。ある実施形態では、インラインマルチメディアコンテンツの拡大されたアイテムを再生することは、インラインマルチメディアコンテンツの拡大されたアイテムを、インラインマルチメディアコンテンツのアイテムに関連したコンテンツ形式に対するプラグインと共に再生することを含む。
【０１３７】
ある実施形態では、インラインマルチメディアコンテンツの拡大されたアイテムが再生される間に、１つ以上の再生コントロールの表示が中止される（例えば、図７Ｄは、再生コントロール４０１６、４０１８、４０２０及び４０２２をもはや示さないが、４０６６、４０８８、４０１０及び４０１２を依然として示している）。ある実施形態では、全ての再生コントロールの表示が中止される。ある実施形態では、１つ以上の再生コントロールの表示を中止することは、１つ以上の再生コントロールをフェードアウトすることを含む。ある実施形態では、１つ以上の再生コントロールの表示は、所定の時間後に中止される。ある実施形態では、１つ以上の再生コントロールの表示は、タッチスクリーンディスプレイとの接触が所定時間中検出されない後に中止される。
【０１３８】
ある実施形態では、タッチスクリーンディスプレイにおいて第４のジェスチャーが検出される（８０１６）。第４のジェスチャーを検出するのに応答して、構造化電子ドキュメントの少なくとも一部分が再び表示される（例えば、図７Ａ）（８０１８）。ある実施形態では、第４のジェスチャーは、終了アイコンのような再生完了アイコンにおけるタップジェスチャー（例えば、図７Ｄの終了アイコン４００６におけるジェスチャー４０３２）を含む。ある実施形態では、インラインマルチメディアコンテンツのアイテムは、拡大される前のサイズに復帰する。
【０１３９】
ある実施形態では、第１、第２及び第３のジェスチャーが指ジェスチャーである。ある実施形態では、第１、第２及び第３のジェスチャーがスタイラスジェスチャーである。
【０１４０】
ある実施形態では、第１、第２及び第３のジェスチャーがタップジェスチャーである。ある実施形態では、タップジェスチャーは、１本の指での二重タップ、２本の指での二重タップ、１本の指での単一タップ、又は２本の指での単一タップである。
【０１４１】
上述したマルチメディア表示プロセス８０００は、見掛け上特定の順序で発生する多数のオペレーションを含むが、このプロセス８０００は、より多くの又はより少数のオペレーションを含んでもよく、それらオペレーションは、直列又は並列に実行することができ（例えば、並列プロセッサ又はマルチスレッド環境を使用して）、２つ以上のオペレーションの順序は、変更されてもよく、及び／又は２つ以上のオペレーションは、単一のオペレーションへ合成されてもよいことが明らかである。
【０１４２】
タッチスクリーンディスプレイを伴うポータブル電子装置上のグラフィックユーザインターフェイスは、コンテンツを含む構造化電子ドキュメントの少なくとも一部分と、構造化電子ドキュメントのその一部分におけるインラインマルチメディアコンテンツのアイテムと、１つ以上の再生コントロールとを備えている。インラインマルチメディアコンテンツのアイテムにおける第１のジェスチャーを検出するのに応答して、タッチスクリーンディスプレイ上のインラインマルチメディアコンテンツのアイテムが拡大され、そしてインラインマルチメディアコンテンツの拡大されたアイテムに加えて構造化電子ドキュメントにおける他のコンテンツを表示することが中止される。インラインマルチメディアコンテンツの拡大されたアイテムが表示される間にタッチスクリーンディスプレイ上での第２のジェスチャーを検出するのに応答して、インラインマルチメディアコンテンツの拡大されたアイテムを表示するための１つ以上の再生コントロールが表示される。再生コントロールの１つにおいて第３のジェスチャーを検出するのに応答して、インラインマルチメディアコンテンツの拡大されたアイテムが再生される。
【０１４３】
以上、特定の実施形態を参照して本発明を詳細に述べた。しかしながら、前記説明は、余すところのないものではなく、本発明をその正確な形態に限定するものではない。以上の教示に鑑み、多数の変更や修正が考えられる。前記実施形態は、本発明の原理及びその実際の応用を最良に説明するために選択され説明されたもので、当業者であれば、意図された特定の用途に適するように種々の変更を加えて、本発明及び種々の実施形態を最良に利用することができよう。
【符号の説明】
【０１４４】
１００：ポータブルマルチファンクション装置
１０２：メモリ
１０６：Ｉ／Ｏサブシステム
１０８：ＲＦ回路
１１０：オーディオ回路
１１１：スピーカ
１１２：タッチ感知ディスプレイシステム
１１３：マイクロホン
１１６：他の入力制御装置
１１８：周辺インターフェイス
１２０：プロセッサ
１２２：コントローラ
１２４：外部ポート
１２６：オペレーティングシステム
１２８：通信モジュール
１３０：接触／運動モジュール
１３２：グラフィックモジュール
１３４：テキスト入力モジュール
１３５：ＧＰＳモジュール
１３６：アプリケーション
１３７：連絡先モジュール
１３８：電話モジュール
１３９：ビデオ会議モジュール
１４０：ｅ−メールクライアントモジュール
１４１：インスタントメッセージングモジュール
１４２：ブログモジュール
１４３：カメラモジュール
１４４：映像管理モジュール
１４５：ビデオプレーヤモジュール
１４６：音楽プレーヤモジュール
１４７：ブラウジングモジュール
１４８：カレンダーモジュール
１４９：ウィジェットモジュール
１４９−１：天気ウィジェット
１４９−２：株ウィジェット
１４９−３：計算器ウィジェット
１４９−４：アラームクロックウィジェット
１４９−５：辞書ウィジェット
１４９−６：ユーザ生成ウィジェット
１５０：ウィジェットクリエータモジュール
１５１：サーチモジュール
１５２：ビデオ及び音楽プレーヤモジュール
１５３：ノートモジュール
１５４：マップモジュール
１５５：オンラインビデオモジュール
１５６：ディスプレイコントローラ
１５８：光学センサコントローラ
１６０：他の入力コントローラ
１６２：電源システム
１６４：光学的センサ
１６６：接近センサ
１６８：加速度計
【図１Ａ】
0005559538.tif 000002
【図１Ｂ】
0005559538.tif 000003
【図２】
0005559538.tif 000004
【図３】
0005559538.tif 000005
【図４Ａ】
0005559538.tif 000006
【図４Ｂ】
0005559538.tif 000007
【図５Ａ】
0005559538.tif 000008
【図５Ｂ】
0005559538.tif 000009
【図５Ｃ】
0005559538.tif 000010
【図５Ｄ】
0005559538.tif 000011
【図５Ｅ】
0005559538.tif 000012
【図５Ｆ】
0005559538.tif 000013
【図５Ｇ】
0005559538.tif 000014
【図５Ｈ】
0005559538.tif 000015
【図５Ｉ】
0005559538.tif 000016
【図５Ｊ】
0005559538.tif 000017
【図５Ｋ】
0005559538.tif 000018
【図５Ｌ】
0005559538.tif 000019
【図５Ｍ】
0005559538.tif 000020
【図６Ａ】
0005559538.tif 000021
【図６Ｂ】
0005559538.tif 000022
【図６Ｃ】
0005559538.tif 000023
【図７Ａ】
0005559538.tif 000024
【図７Ｂ】
0005559538.tif 000025
【図７Ｃ】
0005559538.tif 000026
【図７Ｄ】
0005559538.tif 000027
【図７Ｅ】
0005559538.tif 000028
【図７Ｆ】
0005559538.tif 000029
【図８】
0005559538.tif 000030